(57)【要約】【課題】地震襲来の警報に基づきに逃げる場所が底抜けしない強固な支持構造となっていて倒壊しても非常に安全な安全防護装置を提供すること。【解決手段】天面部材と、同天面部材を支える支持部材とを備え、地震に伴う家屋倒壊に対抗し得る強度をもたせてなるテーブルや机などの安全防護装置であって、前記支持部材は、床下基盤側に固定されてなる。【選択図】図２
2009082685.tif 000002
【特許請求の範囲】
【請求項１】
天面部材と、同天面部材を支える支持部材とを備え、地震に伴う家屋倒壊に対抗し得る強度をもたせてなるテーブルや机などの安全防護装置であって、前記支持部材は、床下基盤側に固定されてなる安全防護装置。
【発明の詳細な説明】
【技術分野】
【０００１】  この発明は、地震に伴う家屋の倒壊などの危険から住民を防護することのできる安全防護装置に関する。
【背景技術】
【０００２】  地震に伴う家屋の倒壊は圧死を招き、先の地震でも圧死した人の多いことが問題となった。その一方で、一般国民には、緊急地震速報や地震警報器などの手段でＰ波発生直後に地震来襲の警告を発することができるようになってきた。
【発明の開示】
【発明が解決しようとする課題】
【０００３】  しかしながら、警告を発するようになっても住民は確たる逃げ場所がないのが実状である。その一対策案として、例えば、特許第３７７９３８１号などのように食卓テーブルを下支えする地震用つかまり棒のような技術が開示されているが、現実には床構造が従来通りであるため床抜けし却って危険である。
この発明は、上記に鑑みなされたもので、地震襲来の警報に基づきに逃げる場所が底抜けしない強固な支持構造となっていて倒壊しても非常に安全な安全防護装置を提供することにある。
【課題を解決するための手段】
【０００４】  上記課題を解決するため、請求項１記載の発明は、天面部材と、同天面部材を支える支持部材とを備え、地震に伴う家屋倒壊に対抗し得る強度をもたせてなるテーブルや机などの安全防護装置であって、前記支持部材は、床下基盤側に固定されてなる。
【発明の効果】
【０００５】  この発明によれば、天面部材と、同天面部材を支える支持部材とを備え、地震に伴う家屋倒壊に対抗し得る強度をもたせてなるテーブルや机などの安全防護装置であって、前記支持部材は、床下基盤側に固定されてなるので、地震襲来の警報に基づきに逃げる場所が底抜けしない強固な支持構造となっていて倒壊しても非常に安全な安全防護装置を提供することができる。
【発明を実施するための最良の形態】
【０００６】  以下、この発明の一実施形態を図面にしたがって説明するが、ここで説明する各実施形態に含まれる個々の提案例は他の実施形態にも適用されるものとする。また、各構成部材の材質は木材・金属・樹脂（発泡スチロールも含む）など現存するすべてのものを利用し得るものとする。
図１、図２は、この発明に係る安全防護装置の１つの実施形態を示し、図１は平面図、図２は図１のＩＩ−ＩＩ線断面図である。【０００７】  これらの図において、１はリビング（あるいは客室）の一部を示し、同リビング１は新設および既設の双方を含む。この場合のリビング１は、床下地盤（床下基盤）２の上に束石３・床束４・大引き５・根太６…などの床下構造を配しその上にフローリングともいう床板７を直接敷設固定した一般的なものになっている。床下をベタ基礎とする方式では該コンクリートが床下基盤となり、この場合、支持部材は新築工事の際に同時埋め込みあるいはアンカー固定し、既設の基盤ではハツリによる埋め込みかアンカー固定により基部が固定される。【０００８】  このリビング１は、既設のものとして説明するが新設の場合も同様の構造になる。すなわち、同リビング１は、掘ごたつ式構造になっている。
９は裏受材で上下に配し、これら裏受材９などを介して立面を仕切り立板１０で仕上げるとともに床下地盤２上に対応して矩形をした内底板１１を敷設して独立した掘ごたつ式空間を形成してある。内底板１１は、床下地盤２上に仕上げたモルタル基盤上に直接あるいは根太材を介して間接的に敷設することもできる。【０００９】  １２は埋込コンクリート型の基礎ブロックで既製のものとされ、同ブロック１２は角柱形や丸柱形などに形成されるとともに、床下基盤２の４点配置に設けられている。これらブロック１２の中央には縦穴１３が空けられ、その中を通じて上からの支柱（支持部材）１４の根元が差し込まれるとともにその際緩衝材１５を介装しかつモルタル固着材１６を介装してある。この場合、支柱１４の回りに緩衝材を入れることがある。これら支柱１４…は、床板７よりも上に伸び、これらの上端には緩衝材１５を介して連結筒１７が被せられている。連結筒１７と支柱７とはスライド自在とされているが、溶接や止め付けられてもよい。１８は止着具であり、これらを介してテーブル（天面部材）１９が連結固定されている。【００１０】  この場合の堀ごたつ空間（堀込み空間）８はそれだけでなく、テーブル１９の長辺方向および／または短辺方向に沿って凹所２０が形成されている。この凹所２０には、警報後に図２の仮想線のように反転操作される座板２１がヒンジ２２によって回転自在で元に戻すと裏面の受ブラケット２３により水平になるように設けられている。これにより、座板２１を反転することにより避難しにくい床板７とテーブル１９間の間隔が広くなってもぐり込みやすくなる。また、凹所２０の奥隅部には、段差を少なく安全に避難し得るように階段２４が１段あるいは複数段固定して設けられている。階段２４はスロープでもよい。【００１１】  尚、座板２１は、その先端を持ち上げるようにしてもよいし、持ち上げ穴２５により持ち上げるようにしてもよい。
もぐり込む際に頭を打たないようにテーブル１９の角には図２の右上欄に示すようなクッション２６を外付けしたり凹所に嵌め付けるようにしてもよい。同クッション２６は、テーブル１９と同じ高さ寸法のもの２６を外周に添って固着してもよい。
図２に示すように、堀込み空間の底には飛び込んだ際に安全なように中敷きクッション２７を設けてもよい。このクッション２７内には活性炭を含ませてもよい。
前記基礎ブロック１２は構成せず床下地盤２に支柱１４を直接あるいは縦パイプを介して挿入固定するようにすることもある
凹所２０は図１のうちのもぐり込み易い側である１個所のみに設けてもよい。
前記座板２１は、使用を終わった際に同時に後方へバネで反転するようにしてもよい。
前記座板２１には、図２の右下欄のように背もたれａが設けられていて、避難する際、同背もたれａを後向きに押し倒すと座板２１もついてきて、さらに座板２１を折り畳み式に倒すことができるようにすれば避難のためのもぐり込み通路が簡単かつ迅速に得られるようになる。
上記細部の提案例は他の実施形態にも適用される。【００１２】  図３は他の実施形態を示す。同実施形態は、仕切り立板３０と内底板３１で形成された堀込み空間３２に基礎ブロック３３を介して支柱３４…を立設固定してテーブル３５を固定設置するとともに凹所３６内に階段３７および座板３８を装備して避難しやすくしたものであって、特に、テーブル３５内にもぐり込んだあと、蓋３９を開けることによりステップ４０…を利用して地下シェルター４１内にまで安全避難できるようにしてある。このシャルター４１は仮想線のような深いものにしてもよい。
この地下シェルター４１は、蓋３９を防火・防炎型とすることで家屋の火災時にも対処できるものであり、その場合、酸素ボンベや他の救急用品類を常備しておいたり家屋内から持ち込むようにする。【００１３】  尚、前記座板３８は、回転によらず、前後スライド方式になってお、この場合、操作穴４２によりスライドさせるようにしたり、あるいはソレノイド・駆動モーター・空圧シリンダなどの駆動手段４３により進退（特に引き動作が優先）させるようにしてもよい。この強制駆動をさせる場合、避難経路上に操作スイッチを配しておくことができる。
また、この座板３８は、縦軸回りに回転して凹所３６内に出没（特に後退が優先）可能にすることもできる。
さらに、４４は開閉床板で、その下方には収納空間４５が形成されている。
また、テーブル３５は、上板４６と下板４７とでなり、下板４７が支柱３４と連結されるとともに上下板４６，４７間には緩衝材４８が介装されて衝撃をここで吸収するようにしてある。
さらに、支柱３４は、右下欄に示すように、Ｕ字パイプで形成しアンカーブラケット４９とアンカー４９ａとにより床下地盤側に打ち込み固定するようにしてもよいし、さらに右欄のように、Ｊ形支柱３４として固定するようにしてもよい。前記Ｕ字あるいはＪ字パイプは短辺側において構成してあるが、長辺側において構成してもよい。アンカーブラケット４９は地盤内に埋め込むことは自由である。
上記細部の提案例は他の実施形態にも適用される。【００１４】  図４は他の実施形態を示す。同実施形態は、堀込み空間５０に基礎ブロック５１を介して支柱５２を立設するとともに凹所５３内に階段５４と座５５を装備してなるものであって、特に、支柱５２に昇降支柱５６を挿入して止着具５７により適宜高さで固定自在とするとともにこれら昇降支柱５６…上にテーブル５８を固定して床上の椅子５９に座る人用の高いテーブル５８とすることもできるようにしたものである。
この場合、手動で昇降調節できるようにする場合と、図示のようにターンバックル式のジャッキ６０あるいは空圧シリンダ、バランスウエイトにより軽快操作可能なリンク機構などにより昇降可能とする場合がある。
また、座５５は発泡スチロール製などの軽量材で形成し、さらに軽量化のため空洞を形成しておいてもよい。
さらに、前記支柱５２はなしとしジャッキ６０の１本のみで支えるようにしてもよい。ジャッキ６０と支柱２本とで構成してもよい。【００１５】  図５は他の実施形態を示す。同実施形態は、堀込み空間６３内を介して４本の支柱６４およびテーブル６５を装備したものであって、特に、座部６６が固定式で同座部６６とテーブル６５間のもぐり込み間隔が狭いような場合に対応したもので、テーブル６５が分割式とされるとともに矢印のように取り外し自在とされることで上方から越えて避難することができるようにしたものである。
尚、前記テーブル６５の分割数は２枚・４枚などでもよい。
また、内底部にはクッション６７を敷設しておけば安全である。このクッション６７内には活性炭を含ませてもよいし、堀込み空間６３内の立面にも活性炭を張り付けもよい。６８は取り外し用の操作穴である。【００１６】  図６は他の実施形態を示す。同実施形態は、門型支柱７１の一対間を幅間部材７２で結合した支持部材の上にテーブル７３を載せ付けたものであって、同テーブル７３が３枚に分割され、その中央のものが幅間部材７２に固定される一方残る前後の端材がヒンジ７４により開閉自在とされたものである。
尚、前記支柱７１は門型であったが仮想線のように１本柱型であてもよい。
また、右欄図のように、テーブル７３は２枚式としその１枚が固定で残る１枚がヒンジ７４で開閉式とされることもある。
さらに、左下欄のように、テーブル７３は１枚ものとし、カウンタバランスガスシリンダ７５付きでヒンジ７４を中心に軽快にテーブル７３が持ち上げられる一方数秒で復帰するように構成してもよい。このシリンダ７５は、図６および同図右欄の実施形態その他に同様に適用することができる。【００１７】  図７は他の実施形態を示す。同実施形態は、縦横枠型にした土台７７の交差部から立設した支柱７８に斜め補強材７９を備えるとともに支柱７８間を連結梁８０で連結し、さらに支柱７８から昇降支柱８１を延ばしてその上にテーブル８２を固定して構成したものを、土台７７・補強材７９および支柱７８の下部が床下地盤８３内に没するように埋め込み固定し、掘込み空間８４の開口面内に支柱７８の上端がくるようにして昇降支柱８１により適宜高さにテーブル８２がくるようにしたものである。
テーブル８２は、堀ごたつのように低い状態と床上に椅子を設置した場合のような食卓方式のように高い状態に高さ設定することができる。高い状態に設定した場合には、堀込み空間８４の内縁が避難時の腰掛になるので、長い時間そこに腰掛けて避難体勢を維持することができしかもテーブル８２が高いので体勢に無理がなくて疲れにくいものとなる。
尚、テーブル８２は別途駆動手段により避難時に緊急的に高くすることができる。この駆動手段は緊急地震速報に連動させることもできる。
図７の右下欄図は、土台７７を図示しないアンカー金具により床下地盤側に固定するとともに、土台７７から伸びた４本の支柱７８が床材Ｆの孔Ｋを突き抜けて床上に立ち上がるようにしてある。これらの支柱７８上を介してテーブル８２が固定されており、同テーブル８２は周りの腰掛椅子（図示省略）に座って食事などをするに適した食卓型の高さになっている。そして、地震時にはテーブル８２下に避難することもできる他、床材Ｆに設けられた蓋Ｇを矢印のように開けることで床下空間にまで避難することを可能としたものである。蓋Ｇは一側のヒンジを中心に片開き方式でもよい。蓋Ｇを開けることで上記したように腰掛式に避難することもできる。さらに、図３のように、更に地盤下の避難凹所へと矢印Ｘの如く避難できるようにしてもよい。また、支柱７８の回りには、化粧板ａとコーナー材ｂとで化粧カバーを構成してもよい。尚、右下図の土台７７は、図７の土台７７および補強材７９のような構造にしてもよい。【００１８】  図８は他の実施形態を示す。同実施形態は、床束など床下支持構造８５を介して敷設した床板８６の上に畳８７を敷設したものにおいて、地震警報後にこの畳８７の１枚を開けて開閉床板８８を開くことによりその床下空間に避難することができるようにしたものである。開閉床板８８は畳８７に付帯させてもよい。８９は受束である。
この場合、さらに地下シェルター９０を構成して閉止蓋９１を開いてステップ９２により降りることで避難可能にする。９３は非常用品入れである。９４は内側からのみ開くことのできる侵入者防護板である。尚、シェルター９０と外部とは虫と洪水避け機能をもつ逆Ｕ字管９５に接続された空調管９６を連通しておき、地震に伴う火災時の空調を確保するようにしてもよい。畳８７はできるだけ軽量な内部発泡スチロール製のものを使用する。畳８７の開く広さは、半畳分のみでもよい。９７は畳を持ち上げて開く際の取っ手ヒモである。【００１９】  図９は他の実施形態を示す。同実施形態は、床上にベッド１００を設置した床下構造を同ベッド１００の近くに設けた開閉蓋１０１を地震警報後に開くことで曲がり階段１０２を利用して地下シェルター１０３内に避難することができるようにしたものである。【００２０】  図１０は他の実施形態を示す。同実施形態は、ビル内などに設置された机１０５の一対を利用してその間に発泡スチロールブロック１０６付きの防護バー１０７を渡し掛けることによりその下にもぐり込んだ人を地震から護るようにしたものである。この防護バー１０７は通常は机１０５近くの床上に待機させておく。【００２１】  図１１は他の実施形態を示す。同実施形態は、地下鉄構内の支柱１１０の近傍に、発泡スチロール製座ブロック１１１とそれを取り囲むようにして立設された囲いフレーム１１２とで構成したレスト装置を設置して地震時に防護されるようにしたものである。このレスト装置は支柱１１０などに定着させておくものとする。【００２２】  図１２は他の実施形態を示す。同実施形態は、仮設資材である単管１１４とそれに嵌合する型枠固定用の樹脂製押さえ材１１５とのセットをビル内や家屋内に立設してレベル調節により独立して固定可能にし、これらセットの複数組を使って防護室を形成することができるようにしたものであり、特に単管１１４にブラケット１１６を張り出して防護用の仕切り板１１７を張ることができるようにしてある。
尚、前記押さえ材１１５はロングホーム（株）製ハイブリッドバタ（商品名）（高強度ＦＲＰ材）が好適である。【００２３】  図１３は他の実施形態を示す。同実施形態は、学童机についての例で、１２０は脚、１２１は脚連結パイプ、１２２は収納部、１２３はテーブルを示し、こうした机は、地震警報に合わせて学童がもぐり込んで避難するために利用されるが、避難した際に収納部１２２が低くて地震ショックで頭を打つようなおそれがある。そのことから高さ調節具１２４を構成した。
同調節具１２４は、木材や樹脂（発泡スチロールを含む）あるいは軽金属などを使用して長手状のブロック状とされた本体１２５の一対と、これら本体１２５をつなぐ連結板１２６とでなり、特に本体１２５には、脚１２０が深く挿入される第１孔１２７と浅いところで止まる第２孔１２８とが各脚１２０に対応するように形成されており、学童がもぐったあとこの机を持ち上げて第１孔１２７から第２孔１２８へ脚１２０を抜き差しすることで机が高く調節されて頭を強く打つようなことがなくなるものである。
尚、本体１２５は帯板状にしそれから第１パイプ１２９と第２パイプ１３０の一対を立ててその一方１２９が深く他方１３０が浅くなっている。
尚、前記孔１２７，１２８は右欄図のように入り易いようにすり鉢状とする。また、図１４に示すように、脚１２０を移行させやすいように孔１２７，１２８間には連絡溝１３１を設けてもよい。【００２４】  図１５および図１６は付加的な提案例を示す。同例は、水蒸気の発生促進方法の一例を示すもので、この促進方法によって陸地に降雨を促し砂漠などの緑化を促進しようとするものである。
海岸線の近くの陸地に図１６のような断面をした溝１３４を並列で蛇行状に形成し、その部分１３４にポンプＰによって海水を注ぎ込むようにする。溝１３４と溝１３４の間には盛り土１３５が形成され、その上部には太陽光を受けて保有しやすい砂・岩石、鉄、吸熱パイプなどを設けてその近傍一帯を熱くして上昇流を起こすようにする。そして、こうした熱分により溝１３４内の海水を温めて高熱化し水蒸気を発生して上昇流とともに上昇させるようにする。この方法は周辺の熱くなる山肌や岩山などを利用するとより効果的である。また、太陽光をレンズを介してこれらの一帯周辺を加熱するようにしても効果があがる。【００２５】  図１７も付加的な提案例を示し、同例は、海面すぐ上に熱し台１３７…を複数本配備し、その熱し台１３７に岩石・鉄材・黒いビニール管（中に水）などの熱体１３８…を配備しておいて太陽光をレンズ１３９を介して集束して当てることにより熱し台１３７全体が加熱され、これにより、海面から水蒸気が発生し熱し台１３７間を通じて上昇する仕組みになっている。
太陽が沈んだあとは原子力やソーラーなどを電源として温めるようにしてもよい。
図１８の例は、熱し台１４１により上昇する水蒸気を上昇しやすくさせるため、水蒸気を捉えて上昇させる板やパイプ１４２を竜巻流を起生するように斜め配備したものである。【００２６】  図１９および図２０の提案例は、フロート船１４４上に縦横に交差する加熱パイプ１４５…を配備していかだ状とし、これらを前後につないで曳航船１４６で牽くようにしたもので、加熱パイプ１４５は海面からすぐ上方であるので、図２０のように水蒸気が発生して上昇するようになる。
尚、これらパイプ１４５には太陽光を集束して当てるためのレンズを搭載するものとする。海面下には水面下の冷たい水が上域の温まった水に影響しにくくして水蒸気が上昇しやすくする断熱膜１４７を設けてもよい。【００２７】  図２１の提案例は、船１４９の甲板面に流水溝１５０を蛇行状などとして設けてポンプＰにより海水を汲み上げて注ぎ込み、これに太陽光をレンズ１５１を介して当て付けることにより加熱して上昇させるようにしたものである。船１４９それ自体も加熱するようにして航行する船周りの海水までも水蒸気として上昇させるようにすることができる。【００２８】  図２２の提案例は、山々の上空を飛行機１５３が通過するような場合に山１５４や飛行機１５３からスピーカー１５５で音を発して雨雲を振動させ雨粒となりやすくする。音の強弱を交えて雨を降らせやすく制御する。また、超音波波動を当てて人工的に雨を降り易くする。飛行機などよりヨーカ銀やドライアイスなどを投下することは従来より行われているが、ここでは肥料となる微粒子や山々の酸性土を中和する石灰粒子、さらに種などの粒子を核として散布すれば有効である。植物プランクトンである硫化ジメチル（ＤＭＳ）を散布してもよい。また、この散布には気球１５６を利用してもよい。これら核を台風に対して散布すれば雨雲を本土上陸前に多量に発生させてその後の台風被害を少なくすることができる。これらの核を散布する方法は図１５以降の他の提案例でも適用することができる。【００２９】  図２３および図２４は家屋内において例えば、緊急地震速報が発せられた場合や緊急地震警報が鳴った場合に直ぐに避難場所を確保するような場合に利用されるシェルターに関し、特に床下支持方式によるものを示す。【００３０】  ２００は床下地盤で、束石・大引き・根太などで構成される床下支持構体２０１を介して床板（フローリングや畳）２０２が敷設されている。床板２０２の適所は正方形（あるいは長方形）にカットされてそのカット分がシェルターの底板２０３とされている。底板２０３はその４つのコーナーが四角に切除されているとともに底補強材２０４により蓋として補強されている。【００３１】  床板２０２の内周縁底部には四辺にわたる受枠２０５が固定されるとともに同受枠２０５が束石２０６と補助床束２０７により床下地盤２００側に支持してあることにより、床板２０２の内周部分と底板２０３の外周部分がこの受枠２０５によってしっかりと受担されるようになっている。底板２０３の各コーナーは切除された切り欠きａになっており、この切り欠きａを通じて４本の支柱２０９が通されている。【００３２】  この支柱２０９は、直径１０ｃｍ前後の丸パイプ（あるいは角パイプ）製で、同支柱２０９は、床板２０２をカットしたあとで埋め込まれた４箇所の基礎ブロック２１０のそれぞれに基部が挿通されるとともにモルタル・土砂・ゴムなどの介装材２１１を介して固定されている。支柱２０９は床下から前記切り欠きａを通じて上へ垂直に伸び同じ上端高さとされている。床板２０２のカットされた個所には底板２０３がセットされるとともに閉止板２１２により切り欠きａの通穴が塞がれるようになっている。このように切り欠きａ内に離間して支柱２０９が通されているので、地震で床板２０２が揺れてもそれが支柱２０９に伝わらず、閉止板２１２により熱の出入りをシャットアウトしたり虫が室内に入るのも防止される。尚、底板２０３には開閉自在な蓋２１３を付して床下にもぐって避難できるようにしてもよい。【００３３】  ２１５は天蓋フレームで、アングルを四辺枠状とした本体２１６と同枠内に縦横に固定した枠内補強材２１７とで構成されており、この天蓋フレーム２１５は、コーナーの差込棒２１８を支柱２０９上端内に差し込むことにより特に止着具によらず固定されている。同フレーム２１５は圧入や接着、あるいは止着具で固定するようにしてもよい。
２１９は天蓋で、天蓋フレーム２１５に固定されており、木質や緩衝材とする。【００３４】  前記実施形態では底板２０３を設けたが、図２４に仮想線で示すように底板２０３なしとし床板地盤２００上にあるように掘りごたつ式の掘り下げ床板２２１を設け、さらに立囲い壁２２２を周辺に設けて掘り下げ空間を形成するようにしてもよい。
床下地盤２００には地下シェルター２２３を形成してもよい。このシェルター２２３は、底板２０３を設けた場合と底板なしで前記掘り下げ床板２２１を設けた場合のいずれかに構成される。【００３５】  前記支柱２０９まわりには発泡スチロールや発泡ウレタン、スポンジ類などによる保護ブロック２２４を設けてもよい。このブロック２２４は、例えば、高さ５０ｃｍ（限定されない）のもの数個を支柱２０９の上端から差し入れるようにしたり、あるいは１本物を上端から差し入れるようにすることがある。この場合、ブロック２２４により避難入口は狭くなるものの逆にシェルターを強力な支持構造とするだけでなく避難を終えたあとに飛んできたりするものから避難者を防護する役目をする。
掘り下げ空間を形成した場合にはこのシェルターを低くして上端面を食卓とか作業面として使えるようにすることがある。
ブロック２２４を太径とした場合の斜視図を図２５に示す。このブロック２２４は右下欄のように略角柱状にしてもよく、また、左上欄のように三角支柱型としてもよい。
さらに、床下固定式支柱２０９は３本で三角形の頂点配置にしてもよく、この場合、部屋のコーナーにシェルターを配置するとスペースの有効利用が図れるし、家屋の倒壊防御役も果すことができる。【００３６】  図２７は他の実施形態を示す。同実施形態は、洋室（キッチンを含む）のフローリングや和室の畳などの床２３０の下空間に床下シェルター２３１を構築しておき、同シェルター２３１の上方の床面から少し離れた個所に開けた開口部２３２に避難蓋２３３を備えて地震避難時に同蓋２３３を開けることでシェルター２３１内の空間に避難できるようにしたものである。【００３７】  シェルター２３１は、斜め補強材２３４を備えた４本の支柱２３５と、支柱２３５間を相互連結する連結梁２３６と、底板２３７とを備えるもので、これらの部材は鉄骨製や木材で形成される。底板２３７の高さが床下地盤と同じであり、この底板２３７のある個所は更に掘り下げた地下避難空間２３８への開閉蓋方式とすることもできる。シェルター２３１には防災グッズ等を保管しておけば非常時に役に立つ。【００３８】  図２８は他の実施形態を示す。同実施形態は、和室やリビングルームその他の部屋に設置されるベッド付きガードフレームについての例で、２５０はベッド本体で、同本体２５０は木質で、左右の側部フレーム２５１と前後フレーム２５２および敷盤２５３とでなっている。【００３９】  ガードフレームは、垂直な脚部とアーチ形の上部とを一体に備えた金属製のフレーム本体２５５を左右一対備える。このフレーム本体２５５は、周部に複数の孔を備え、その間に通された横連結材２５６…により組み立てられている。また、同フレーム本体２５５の脚部と前記ベッド本体２５０とは結合されて一体化されている。２５７は金属製の座盤でフレーム本体２５５の下端に連結固定されている。
前記実施形態では、ガードフレームが上部アーチ形をしているが、水平な天枠部分をもつものや逆アーチ形にしてもよい。また、ガードフレームにはベッド本体２５０が一体になっているが、別体方式にしてもよい。【００４０】  ところで、こうしたガードフレームは、ベッド本体２５０と同様に上からみると幅が狭く前後に長い構造体であることから例えば、畳上に設置しただけでは地震による揺れによって横転し非常に危険なものである。そうしたことに鑑み、同実施形態では、ガードフレームからその左右方向に展開し得るようなアウトリガー２５９を装備したものである。【００４１】  このアウトリガー２５９は、金属製でフレーム本体２５５を縦割りにした半アーチ形をしていてガードフレームの側面頂部に固定されたブラケット２６０に縦軸２６１を介して水平回転自在に設けられている。【００４２】  この回転は、仮想線で示すようにフレーム本体２５５に添った待機姿勢から実線で示すようにフレーム本体２５５の側面に対して直角に張出した姿勢との間で矢印Ｒのようになされる。そして、張出した姿勢で安定化するように、図２８の右上欄のようにゴム質のロック片２６２を備えてフレーム本体２５５の側面に弾性変形して一時ロックされるようになっている。勿論、同じく弾性変形して越えれば仮想線のようにアウトリガー２５９を元に戻すこともできるようになっている。アウトリガー２５９の脚部には適宜の角度で畳などのフロアーに位置決め可能な上下操作可能な振れ止めロック２６３を横軸であるピン２６４回りに装備してもよい。ロック片２６２と振れ止めロック２６３はいずれか一方あるいは双方の装備が可能である。振れ止めロック２６３は少なくとも畳などに接触する部分がゴム質であれば畳側を傷めずしかも位置決めが確実になる。【００４３】  尚、同実施形態ではアウトリガー２５９が左右両側に装備されているが、設置スペースの都合でガードフレームが部屋の片隅に設置されるような場合にはスペースのある手前側一方のみに装備してもよい。【００４４】  また、アウトリガー２５９は、片側に１本のみ設けられているが、２本など複数本であってもよい。この場合、例えば、２本である場合、それぞれのアウトリガー２５９が別々に回転可能である場合と一体に回転可能である場合とがある。【００４５】  さらに、前記ではアウトリガー２５９が回転するようにしたが、勿論実線の位置などに固定して装備されることもある。
また、前記振れ止めロック片２６３は右下欄に付記したように単に昇降自在なタイプにしてもよい。このロック片２６３は金属や樹脂でもよいしゴム質でもよい。
さらに、アウトリガー２５９は逆Ｌ形であってもよい。【００４６】  従って、アウトリガー２５９を張り出せば地震の揺れによりガードフレームが横転するようなことが阻止される。それとともに、ガードフレームの側部スペースがアウトリガー２５９により護られた防護空間を構成し、家屋が倒壊して柱などが倒れてきても同アウトリガー２５９が先立って避難する者を防護するだけでなく、そのアウトリガー２５９の防護空間を利用してそこに他の家族が寝ることも可能になる。アウトリガー２５９はガードフレームの底抜けを有効に防止する。
尚、ガードフレームの底抜けを防止するため、仮想線のように、樹脂ロープ・ワイヤーロープやリンクチェーンなどの張り材２６５をフレーム本体２５５の脚間や座盤２５７間に張ってもよい。同張り材２６５は左右一対や前後一対あるいは四辺状に張ったり、底面にＸ字状に張ってもよい。【００４７】  図２９はアウトリガーの別の実施形態を示す。図はガードフレームを前あるいは後側からみた様子を示し、２６８はフレーム本体、２６９は横連結材、２７０は座盤である。
左右の座盤２７０の底部間には、四角筒状の底枠２７１が固定して設けられている。この底枠２７１には、つまみストッパ２７２付きのアウトリガー２７３が棒状のものとして抜き差し自在に装備されている。このアウトリガー２７３には、ストッパ２７４がヒンジ支持して設けられ、このストッパ２７４がアウトリガー２７３とともに出入りするとともに抜き出された際にブラケット２７５にロックされることで抜き出した状態に維持できるようになっている。このストッパ２７４は省略してもよい。
尚、このアウトリガー２７３は、フレーム本体２６８の４本の脚部のうちの選択した１つあるいは複数個所に設けることができる。ベッド本体底部に設けてもよい。
また、アウトリガー２７３は、ロックピン２７６により伸展状態でロックできるようにしてもよい。【００４８】  図３０ないし図３３は他の実施形態を示す。同実施形態は、アーチ形のフレーム本体２７８を横連結材２７９で連結一体化したガードフレームに対して、強化発泡スチロール（ＥＰＳ）を組み付けて防護機能を向上させてある。【００４９】  ２８０はベッド本体、２８１は立ち上がりブロックで、これら２８０，２８１は、全てＥＰＳ製とされて外装が張られるとともに相互はタイロッド２８２で一体化されている。そして、これら２８０，２８１はガードフレームの幅内に納まって横連結材２７９により固定されている。ベッド本体２８０上には敷布団が敷かれる。【００５０】  ２８３は上部ガードで、内形が１／４円形で外形が角形になっており、同ガード２８３はガードフレームのフレーム本体２７８間上部に挟まれるようにして横連結材２７９により挟み固定されている。２８４は薄型ＴＶである。
尚、上部ガード２８３は立ち上がりブロック２８１上に載り掛かっている。
また、図３０に破線で示すように上部ガード２８３には収納部２８５を形成してもよい。
同収納部２８５は貫通した穴の外側を蓋２８６で閉止してある。この蓋２８６は開閉式あるいは脱着式にすれば圧迫感を軽減できる。【００５１】  図３２に仮想線で示すようにアウトリガー２８７を付属装備してもよい。ベッド本体２８０は木質でもよい。ベッド本体２８０を木質とし立ち上がりブロック２８１をＥＰＳ製としてもよい。その逆の構成でもよい。
上部ガード２８３は外包式として美的に処理することがある。【００５２】  図３４は他の実施形態を示す。同実施形態は、ベッド本体２９０を一体化あるいは別体化したガードフレームを左右のアーチ形フレーム本体２９１と横連結材２９２で構成するとともに、このガードフレームの上部には内形が半円形で外形が角形をし内部が空間になった防護枠２９３が横連結材２９２を利用して被冠されている。この防護枠２９３は鉄やアルミあるいは樹脂（ＦＲＰなど）等により形成されるもので、その内部には収納棚２９４やＴＶ２９５などが装備されている。【００５３】  尚、右欄にフレーム本体２９１の断面形状を示すように、丸パイプや四角パイプ、あるいはアングル型やＩ・Ｈ形鋼などを使用することができ、このことは図２８から３３の実施形態でも同様に適用できる。【００５４】  図３５ないし図３７は他の実施形態を示す。同実施形態は、緊急地震速報報知から避難するテーブル（ダイニングテーブルや机など）を固定型でかつ耐震補強型とした例を示すもので、同実施形態は、床板上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。特に、この実施形態では１ｍ２当たり約３０トンの耐荷重をもつ強化発泡スチロール（略称：ＥＰＳ）を使用して強力な耐荷重をテーブルに与えるとともに広い受担面積で床底抜けも有効に防止するようにしたものである。
３００は床板、３０１は天板で、木質や金属・樹脂などいずれの材質でもよい。３０２は脚柱で、丸柱状（パイプ状でもよい）あるいは角柱状（パイプ状でもよい）もしくは板状のものでもよい。３０３は補強枠材である。これらでなるテーブルは、既設であったり新設であることもある。【００５５】  ３０４は底受枠、３０５は天受枠で、木質・金属・樹脂などで四角な受け皿状に形成され、この実施形態では、天受枠３０５の方を少し深くしてある。両枠３０４，３０５は同じ内深さにしてもよい。両受枠３０４，３０５を図示天受枠３０５のように少し深めにすると地震時の抜け出しがより有効に阻止される。【００５６】  ３０６は補強コラムでＥＰＳ製で、四角柱状に形成され、その上下は前記受枠３０４，３０５内に嵌り合う関係になっている。
テーブルが既設のものである場合、天板３０１の床面からの高さＨを購買者において測ってもらってその値を製造者に連絡してもらうかあるいは製造者によって直接測る。その寸法Ｈが分かると、受枠３０４，３０５の底板厚みａ、ａから計算して補強コラム３０６の高さｈをＨ−２ａとして切断し、図３７の右欄のように化粧外包材３０７を張付け購買者のもとに受枠３０４，３０５と必要な後述するねじ・両面テープ類などとともに一式セットで宅配すれば購買者は作業要領説明書に従ってテーブル下にこの補強セットを組み込むことができる。【００５７】  ここで、組み込み要領の一例として、例えば、底受枠３０４を床板３００上に先にセットする場合について説明すると、テーブルを正規位置決めした状態で、底受枠３０４を図３５の平面図の破線のように図３７の両面テープ３０８を使って床板３００上に固定する。テープ３０８はエラストマー質などの粘着マットでもよい。【００５８】  そののち、テーブルを脇に移し、補強コラム３０６を底受枠３０４内に嵌め込むようにして立設し、天受枠３０５をその上に被せるようにする。上の両面テープ３０８の剥離テープを剥がしておいてその上に天板３０１を接着するようにしてテーブルを載せ付けるようにすれば組み付けは完了する。
天受枠３０５をテーブルに先にセットする場合、テーブルを逆様にしてその天板３０１の底面の所定位置に天受枠３０５を接着する。底面ねじ孔３０９ｂを利用してテーブル側にねじ止めしてもよい。
さらに天受枠３０５の上に補強コラム３０６および底受枠３０４を取り付け、底受枠３０４の両面テープ３０８の剥離テープを剥がした状態にしてこれら３０４，３０６，３０５とテーブルを逆様状態から元に戻して所定位置に固定する。尚、コラム３０６と受枠３０４，３０５は両面テープ３０８で接着するようにすれば逆様状態から元に戻す際に底受枠３０４やコラム３０６などが抜脱しない。３０９ａは側面ねじ孔で、側方から受枠３０４，３０４とコラム３０６とを連結するときにねじを通すために用いられる。３０９ｂは底面ねじ孔で、天板３０１・底板３００への取り付け時に用いられる。【００５９】  尚、図３７の右欄に示すように化粧外包材３０７をコラム３０６の上下面にも付しておけば高さＨのコラム３０６をそのままテーブル下に組み込むことができ、この場合も両面テープ３０８で上下面を天板３０１および床板３００に接着固定するようにする。化粧外包材３０７はポリガード（ＰＧ：商品名）その他の吹付け膜であったりＦＲＰ仕上げにｓてもよい（以下の実施形態でも同様に適用できる）。このように固定されたテーブルであるので、地震発生時の避難場所として移動せずしかも安全な避難場所を提供できる。前記受枠３０４，３０５の縁はコラム３０６やテーブルの移動を阻止する。
コラム３０６は図３５に示すように四角柱の辺がテーブルの辺に対して４５度傾斜して設置されているので椅子に座った人の足がコラム３０６の角に当たりにくくなっているが、同図右上欄のように四角柱の辺とテーブルの辺が平行になるように設置してもよい。この場合、コラム３０６には面取りａ…を付しておいて足が当たらないようにしてもよい。同コラム３０６はその他の多角形にしたり円柱状や楕円柱状にしてもよい。また、コラム３０６は筒状にしてもよく、この場合、内部空間を収納空間にしてもよい。
尚、前記ＥＰＳ以外の発泡樹脂材もこの実施形態に含む。【００６０】  図３８ないし図４０は他の実施形態を示す。同実施形態は、同じくＥＰＳ材を使った地震対策用避難テーブルに関する。同実施形態は、床板上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。
３１０は床板で、その上に一対の脚柱３１１が設けられている。これらの脚柱３１１は、四角ブロックであるＥＰＳを対角線上に添って切断して２分した三角柱状でなり、その上端三角形の中央には溝３１２が形成されている。天板３１３には木質あるいは金属質などの補強材３１４が固着され、同補強材３１４が溝３１２内に嵌り込むようになっている。
脚柱３１１には外装３１５が施されているのでそのまま両面テープで天板３０１や床板３１３側に接着固定できる。前記溝３１２はその際の固定状態をより完全に確保する。
前記脚柱３１１が三角柱になっているのは、座った人の足回りに支障がないようにするためであるが、四角形や楕円型などでもよい。
尚、前記天板３１３は既設のものでも新設のものでもよく、既設のものである場合には、当然ながら旧脚柱や補強部材などは取り外すものとする。
また、図３８および図３９に示すように、補強材３１４と脚柱３１１を第１止着具ａ…により連結し、補強材３１４と天板３１３とを第２止着具ｂ…で連結してより完全な一体化を図るようにしてもよい。
前記補強材３１４は、天板３１３の幅方向両端側辺に沿った長手方向にも付すことがあり、この場合、倒壊物の衝撃から天板３１３を有効に防護する機能を果たす。【００６１】  図４０および図４１は他の実施形態を示す。同実施形態は、天板３１６と脚柱３１７を備えたテーブル（あるいは机など）に敷盤３１８を組み合わせて地震時にも移動せず倒壊時にも強いテーブルとして避難シェルターとなるようにしたものである。
敷盤３１８は、薄い木質の板からなり、樹脂板や合成ゴム板などでもよい。この敷盤３１８は両面テープ３１９により床板３２０上に固定されるがビスａによる止め付けも可能である。テーブルは両面テープ３１９により敷盤３１８上に固定されるが裏面からビスａ…により止め付けるようにしてもよい。両面テープ３１９とビスａ…を併用して固定してもよい。
敷盤３１８を充分広い面積としてあるのは地震時に敷盤３１８が剥がれにくくすることでテーブルを動きにくくするためと椅子下まで敷盤３１８がくるようにすることで椅子３２１が段差にかからないようにするためである。しかし、逆に、椅子３２１の脚が床板３２０上に全てあるように敷盤３１８を図４０の仮想線のような切り欠き３１８ａをもつ平面Ｉ型あるいはＨ型をした狭いものにしてもよい。
こうしてテーブルは固定されるが、敷盤３１８の中央上には天板３１６を受け止めるコラム３２２を立設しておいてもよい。このコラム３２２はＥＰＳであったり樹脂や木質などいかなる材料でもよいし、中実状あるいは中空状でもよい。このコラム３２２には仕上げ外装ｃを付す。
逆に、既設のテーブルを対象とする場合、脚柱３１７…を外してコラム３２２のみで支持するようにしてもよいし、新設のテーブルである場合には脚柱３１７のないタイプにすることができる。
同コラム３２２は円柱状であったが、楕円柱・三角や四角柱（図４０の右上欄図）などにしてもよいし、複数本のコラムとしてもよい。
コラム３２２は敷盤３１８に脱着自在にして単独で運べるようにしてもよい。この場合、フランジ３２３・コラム３２２・敷盤３１８は締め付けボルトｂにより組み立て可能にしてもよい。このボルトｂは図４１の右欄に示すように外周に配置してもよい。
また、同コラム３２２はフランジ３２３などを介してビスａで止め付け可能にしてもよい。
敷盤３１８・コラム３２２・両面テープ３１９などが１つのセットとして販売され得る。
敷盤３１８は温熱ヒーター方式としたりカーペット方式にしてもよい。
さらに、図４０に示す椅子３２１は、ＥＰＳなどの発泡樹脂製や木製などによりテーブルの天板３１６の底面高さよりも少し低い程度の背もたれ３２１ａをもつものにして地震時は矢印のように引き込むことによりテーブルに倒壊力が作用してもそれを受け止めるようなものにしてもよい。
上記各実施形態（後述するものも含む）における両面テープは、エラストマー質などの粘着マットあるいはシートを含むものである。両面テープあるいは粘着マット類を使用する際は、着装の対象面が木質面などで平滑な面でない場合には平滑調整シート（あるいはマット）を事前に付すこともある（このことは他の実施形態でも同様に適用できる）。【００６２】  図４２は他の実施形態を示す。同実施形態は、天板３２６と脚３２７で構成されたテーブルに対し椅子３２８がＥＰＳ（強化発泡スチロール）を本体としそれを外装したものでなり、その上にクッション３２９を備えて座りやすくしてある。この椅子３２８は、非常に強度が高いものであるので、テーブル下に避難した際に引き入れるようにすれば仮に倒壊してきても最低限の安全は確保されるものである。その際、クッション３２９は緩衝機能を果たす。ｅは引き手孔である
尚、椅子３２８は、図４３に断面を示すように、バネ３３０を介して出没する転動輪３３１を備えて座ると安定になる一方避難時には簡単に移動できるように構成することができる。３３２は背もたれである。クッション３２９はマグネットＭや面ファスナーなど簡易脱着手段を介して脱着可能にしてもよい。【００６３】  図４４ないし４８は他の実施形態を示す。同実施形態は、既設木造住宅その他を対象とするもので、特に、テーブルを床下地盤側に固定したものである。地震時にテーブル下に避難しようとしてもテーブルは衝撃で跳んだり転んだりするため避難場所として全く機能してくれない状態となる。【００６４】  その点を改善するためこの実施形態を提案するもので、図４４は工事開始状況、図４８は工事完了直前状況をそれぞれ示し、図４５〜４７は工事途中の作業状況を示す。
図４４において４０１は床下地盤で、小石混じりの土砂やコンクリート盤のこともあり、４０２は束石、４０３は床束、４０４は大引き、４０５は根太をそれぞれ示す。これらの上に床板４０６が敷設されているが、床板４０６の下に下地材を敷設する場合もある。また、床板４０６は畳材その他のこともある。【００６５】  図４８のテーブルは、天板４０７と４本の脚４０８および補強枠４０９でなり、既設のものであるが、新設である場合がある。
図４４のＷは図４８のテーブルの長辺側２本の脚４０８の中心間の間隔を示し、短辺側２本の脚の中心間の間隔はここでＬとする。
図示リビングの床板４０６上にカーペットや絨毯がある場合はそれらを取り除き、床板４０６上の、テーブルを設置する４点を決め、その４点、すなわち、間隔Ｗで奥行Ｌの関係をなす４点に孔明けのためのマーキングを施す。【００６６】  ４１１はホールソーで電動ドリル４１２に装着されており、このホールソー４１１のガイドドリル４１３を前記で印した４点にマッチングさせ穴明けしてゆく。その直径は、図４５に示す金属や樹脂パイプ製下部コラム４１４の外径Ｄよりも少し大き目のものである。やや余裕のある直径の穴を明けてもよい。尚、この穴はジグソーや手動穴明け具など、いかなる用具を使用して明けてもよい。また、マーキングに当たっては先に床下にもぐって大引き４０４や根太４０５などを避ける位置を選択するのが好ましい。【００６７】  ４１５は通穴で４点に明けられ、図示では丸穴であるが角穴その他でもよい。そののち、図４５に示すように、床下に作業者Ｂの１人がもぐる。その際、作業者Ｂは４個の固定座４１６…を持って入り、前記４点の下方にそれぞれを配置してゆく。この固定座４１６は、図４６の下欄に示すように円筒体４１６ａとその下端の孔付きのフランジ４１６ｂとを有するもので、円筒部分には水平方向に通し孔を備えている。固定座４１６は金属製あるいは樹脂製など材質は問わない。【００６８】  下方に配置した固定座４１６に対し、床上の作業者Ａは、下部コラム４１４を通穴４１５を通じて図４５の矢印のように降ろして床下の作業者Ｂとの位置合わせをしながら嵌め合わせてゆく。下部コラム４１４は上下貫通状の丸パイプでその上端外周の上フランジ４１４ａが床板４０６上に一杯までくるようにして固定座４１６に嵌め込む。そののち、床下の作業者Ｂは、アンカー４１８で床下地盤４０１へ固定座４１６を打ち込み固定するとともに固定座４１６と下部コラム４１４とをこれら４１４，４１６のいずれかあるいは双方に設けた長孔に止着具４１９を通じることにより相互に連結してゆく。【００６９】  次に、図４７に示すように、ねじ孔の明けられた上フランジ４１４ａ上に支持ポスト４２１を載せて下フランジ４２１ａの孔を通じて止め具４２２をねじ込むことによりコラム４１４に対して支持ポスト４２１を連結固定する。これらの支持ポスト４２１に対して図４８のように脚４０８を差し込むことでテーブルを固定設置する。支持ポスト４２１と脚４０８とは抜け出ないように連結具４２３により止め付けておくようにする。【００７０】  前記実施形態の他の態様を示す。
図４８右上欄に示すように、下にフランジ４２５ａを備えた金属あるいは樹脂製などのコラム４２５を床下から通穴４１５に通して床上まで突出するようにし、その上端筒内あるいは外周に脚４０８を挿入固定するようにしてもよい。この場合、脚４０８は止着具４２６で同じ高さになるように固定するが、締めバンドを使用してもよい。
テーブル中央と床上との間の補強支持は図５３から５８の実施形態のものを組み合わせてもよい。また、コラム４２５回りは裾キャップ４２７で閉止してもよい。
コラム４１４相互間は、図４８に仮想線で示すようなつなぎ４２７で連結強化してもよい。
前記実施形態では脚が４本のテーブルについて説明したが、１本・２本（厚板状脚も含む）…など本数は問わない。１本の場合、テーブルの中央に構成されて上からの負荷に耐えるものとなる。【００７１】  図４９ないし図５２はテーブル固定方法の他の実施形態を示す。この実施形態は、図５２のテーブルの天板４３１の中央部分を床下から１本支持するための作業要領を示すもので、図４９はその最初の手順を示す。
図４９において４３２は床下地盤、４３３は床下構造体（束石〜根太）、４３４は床板であり、まず、床板４３４の好ましい個所に３０〜４０ｃｍ前後の通穴４３５を明け、その穴４３５を通じて下部コラム４３６を床下地盤４３２に下フランジ４３７が乗り掛かるまで降ろす。【００７２】  下部コラム４３６は丸パイプで金属でも樹脂あるいはその他の材質でもよく、その下フランジ４３７の中央には図５０にも示すような挿通口４３８が明けられている。挿通口４３８は、比較的太い穴で、例えば、３０〜６０ｃｍ（限定されない）とされる。
同フランジ４３７の底面には、図５０に底面図を示すように、矢印の方向に回転操作されることで外回りに土砂などを押し出しながら地盤４３２を円形凹所に削ってゆくスパイラル４３９が突設されている。このスパイラル４３９は、中心側から外周へと連続する板面で形成されたり、図示のように一部が切り欠き４４０になったものでもよい。【００７３】  ４４２は冶具で、同冶具４４２は、下部コラム４３６を通穴４３５の中心に設定しながら床板４３４に直角な軸心とする調整具の役目をもっている。同冶具４４２は、金属でも樹脂などでもよく、下部コラム４３６の上から通してコラム４３６が前記の位置・姿勢になるようにして止着具４４３にて床板４３４上に固定されるものである。尚、作業後は止着具４４３を外して床板４４３側と縁を切った状態にしてもよい。【００７４】  そして、図５０に仮想線で示すようにコラム上端に旋回用のトルクバー４４４を通して矢印の方向に回転操作すれば、スパイラル４３９が回転して床下土砂を削り取って水平な凹部を形成し、その凹部面に下フランジ４３７が密着した状態になる。
そのあと、図５１に示すようなやや太径で長さ１２０ｃｍ前後の先鋭状ロッド（鉄筋芯棒など）のアンカー４４６を打ち込む。同アンカー４４６は、上端に叩打部４４７を備えるとともに下から５０ないし７０ｃｍの個所に固定ストッパ４４８を突設してなる。このアンカー４４６はオスねじを少なくとも下部外周に備えて回すと地盤内にねじ込まれるものにしてもよい。【００７５】  このアンカー４４６を打ち込むと固定ストッパ４４８が挿通口４３８の上のフランジ面に当たり停止する。これで下部コラム４３６が地盤側に固定される。そのあと、図５２に示すように、上部コラム４５０を下部コラム４３６周りに嵌め込む。この上部コラム４５０は、上フランジ４５１を備えるとともに緩衝パッド４５２を備え、下部外周には固定ナット４５３と止着具４５４を備える。【００７６】  当初この上部コラム４５０は下部コラム４３６にフリーな状態にあり、テーブルを設置して天板４３１を対応させたのち持ち上げて止めネジ４５５をねじ込むことで天板４３１側に固定され、止着具４５４をナット４５３にねじ込むことで上部・下部コラム４５０，４３６が一体化し、テーブルは床下地盤４３２側に固定されたことになる。【００７６】  尚、この固定方式は、テーブル中央を支持するものになっているが、４本あるいは２本の脚方式のものにも適用できる。【００７７】  図５３ないし図５５はテーブル固定方式の他の実施形態を示す。同実施形態は、床板上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。
この実施形態は、床板４５８上に、４本の脚４５９と天板４６０および補強枠４６１で構成されたテーブルを固定する器具を示すもので、４６２は下部コラムで、円筒パイプや角パイプなどでなる金属・樹脂製の受支柱である。同コラム４６２の下端には図５４のように複数のねじ孔４６３を備えた下フランジ４６４を備えるとともに、外周位置には注入口４６５が形成され、また、逃がし口４６６も明けてある。【００７８】  ４６８は上部コラムで、同じく円筒や角筒などでなる金属あるいは樹脂製のもので、その下部は下部コラム４６２内に挿入される径とされている。同上部コラム４６８は上端に上フランジ４６９を備えるとともに下端には通孔４７０を残して掛止突起４７１…が上下数段に亘って設けられている。
上下のコラム４５１，４３６は、テーブル下に図５３のように持ち込まれてのち止めネジ４７２…により下部コラム４６２が床板４５８側に、また上部コラム４６８が天板４６０側にねじ止めされる。そののち、図５４にも拡大して示すように、発泡ウレタンボンベ４７３を用いて注入口４６５を通じて下部コラム４６２内にウレタンＵを注入してゆく。この際、ウレタンＵは、逃がし口４６６や通孔４７０を通じて逃げて固まる。外部で固まったものは取り除かれるが、内部で拡がるウレタンＵは掛止突起４７１…に固着してゆく。これにより、テーブルはウレタンＵの上昇力も加味されて床上で固定される。また、負荷がテーブル面に作用してもウレタンＵが好適な緩衝作用をしながら受け止めるとともにその緩衝作用が床底抜けをも有効に防止し、上部コラム４６８の抜けも掛止突起４７１とウレタンＵの固着により有効に防止される。作業も簡単に終わる。
尚、図５４の矢印Ｔのように上部コラム４６８に空けた孔を通じて付加的にウレタンＵを注入固着してもよい。
上フランジ４６９は図５２の上欄のような段差状断面をしたものにすると強度がアップする。
上フランジ４６９および下フランジ４６４は、３０ないし４０ｃｍ前後の直径のもので図示したが、例えば、天板４６０の幅は９０ｃｍであると、８０ｃｍ前後の大径フランジにすることができ、この場合、上フランジ４６９が天板４６０の側辺部近くにくるため、その側辺部に集中が想定される倒壊時の衝撃力をこの上フランジ４６９が受け止めて天板４６０自体の破壊を効果的に防止するとともに上フランジ４６９が前記側辺部近くにくると止めネジ４７２を止めやすい。また、下フランジ４６４も前記のように大径にすると、床抜けをより効果的に防止できるし、ビス止めもし易くなる。上・下フランジ４６９，４６４は四角形など他の幾何学形状にすることもある。
上記はテーブル中央に備える場合について示したが、他の脚の構造に同実施形態を適用することができる。
また、図５３および図５４に示すように、下フランジ４６４の孔を介して床下地盤までアンカーＤを打ち込んで固定してもよい。このアンカーＤは単一本であったり複数本であることもあり、丸あるいは角形のパイプ状の場合もある。同アンカーＤは斜めに打ち込めば固定度が高くなる。また、同アンカーＤは、その外周に周突起（螺旋突起や長手方向突起・格子状突起などを含む）を付した異形棒鋼を使用すれば固定度が向上する。
また、図５６に示すように、上部コラム４６８の下端から突パイプ４７４を出してその外周に掛止突起４７５を設けてウレタンＵの固着連結力を高めるようにしてもよい。
さらに、前記コラム４６８，４６２とフランジ４６９，４６４との間には適宜に外部補強を付加することができる。
また、注入口４６５は上下あるいは周囲に複数個所開けてこれらを利用してウレタンＵを注入あるいはドレン可能にしてもよい。ドレンする課以降からはウレタンＵが流れ出るので、筒を突設したり下方に漏れ受けを敷いたりしてもよい。漏れ出たウレタンＵは切り取ったり溶解液で拭き取ったりして処置する。【００７９】  図５７および図５８は他の実施形態を示す。同実施形態は、床板上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。
この実施形態は、図５８のようにＴ字あるいはＬ字形をした上下の支持板４７７，４７８よりなり、これらは相互に上下伸縮することが可能であり、実施形態では長孔４７９および蝶ボルトでなる止着具４８０により延ばした状態で上下を連結することができる。実際には、下部支持板４７８を先に床上にビス止めしてのち上部支持板４７７を止着具４８０により上に伸ばして天板４８１にビス止めするようにする。テーブルは４本脚式以外のものであっても本方式を適用できる。支持板４７７，４７８などは金属板以外に樹脂や木材などでもよい。
尚、図５８に示すように、テーブル型式には４本の脚柱４８３…によらず長手方向に対向する縦板間に継ぎ板４８２を横架固定したものがあるが、その場合でもその横サイドを上部支持板４７７が通るようにしてこの器具を設置することができる。
また、図５８に示すように、下フランジの孔を介して床下地盤までアンカーＤを打ち込んで固定してもよい。このアンカーＤは単一本であったり複数本であることもある。同アンカーＤは斜めに打ち込めば固定度が高くなる。【００８０】  図５９ないし図６１は他の実施形態を示す。同実施形態は、床板５００上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。【００８１】  ５０１は天板、５０２は裏木、５０３は底木であり、これらは金属製あるいは樹脂製若しくは木製などで作られるが、ここでは木製の場合を例示してある。天板５０１は既設のものを流用してもよいし新規なものでもよい。裏木５０２は長い座板５０４と短い連結ブロック５０５よりなり止着具５０６…によりこれらを扁平Ｔ型となるように一体化してなる。底木５０３も同様に形成されている。【００８２】  裏木５０２はその一対を天板５０１の長手方向端部に裏から止め付けてある。その下方にあるように底木５０３を配置しその連結ブロック５０５が上に向くようにしてある。５０８は側板で、１ｃｍ前後の合板でなり、天板５０１の長手方向と同じ長さの一辺とし他辺は一般のテーブル下寸法とした矩形の板でなる。その上下４つの隅には切り欠き５０９が形成されている。側板５０８は一対用意されて長手方向であるテーブル中央ラインを基準に天板５０１の幅方向に２０ないし４０ｃｍ前後の間隔をおいて相対向して配置されるとともに止着具５１０…により連結ブロック５０５に止め付けられている。【００８３】  ２枚の側板５０８間の長手方向中間空間にはＥＰＳ製の耐震体５１１が挟み込まれて止着具５１２により締め付け固定されるとともに、長手方向両端部には、スライド受け材５１３を介して上下複数段の引き出し式収納部５１４…が配備されている。５１５は非常用の飲料水入りＰＥＴボトルであり、適宜非常食などの非常時用品類やいつも使える食事用品やヒモ・テープ・筆記具など何でも入れて用に供することができるものにしてある。何を入れるかは自由である。収納部５１４は地震による揺れで飛び出さない手段が付加されることもある。
底木５０３はビス５１５あるいは粘着手段などにより床板５００に止め付けられるようになっている。【００８４】  尚、耐震体５１１は図示よりも幅の小さいものにしたり省略することもある。この場合、図６０の正面あるいは裏面から引き出し式に出し入れ可能な収納部５１５を追加的に設けることがある（図面では１個所のみ示してあるが上下複数段でもよい）。
前記収納部５１４…の数は一対であるが、いずれか一方でもよい。
また、図６０に示すように、下フランジの孔を介して床下地盤までアンカーＤを打ち込んで固定してもよい。このアンカーＤは単一本であったり複数本であることもある。同アンカーＤは斜めに打ち込めば固定度が高くなる。
さらに、図６１右欄に示すように裏木５０２、底木５０３は基板ＡにブラケットＢを突設した鉄製あるいは樹脂一体成形品とすることができる。【００８５】  図６２（側断面図）および図６３（図６２のＹ矢視図）は他の実施形態で木造住宅におけるリビングや和室などの床下空間を利用して床上まで立ち上がるように設置される倒壊前避難装置に関する。同実施形態において、５２０は床下地盤、５２１は床下構造、５２２は床板で、床板５２２には略正方形をした開口５２３が開けられ、その内縁には開口縁５２４が取り付けられている。【００８６】  ５２５は底フレーム、５２６は天フレームで、これらは金属あるいは木製、樹脂製などで作製された四辺枠でなり、特に天フレーム５２６には防護効果を上げるため渡架フレーム５２７が付されている。
天フレーム５２６と底フレーム５２５との上下間には周囲４本からなる縦フレーム５２８…が高さ１乃至１．３ｍで連結固定されている。床板５２２より少し下側に対応する個所には補強のための横つなぎ材５２９が連結固定されている。天フレーム・底フレーム・縦フレーム・渡架フレーム・横つなぎ材５２５〜５２９は適宜分解組立可能にして分解状態での搬送と現場組立ができるようにしてもよい。
尚、前記開口５２３は、図６２の仮想線のように柱５３０を備えた押入れなどの収納設備内に設けることがある。【００８７】  同装置は、開口５２３を通じて下半部が没するように入れられてアンカー５３１…により床下地盤５２０へ固定される。装置の底には座盤５３２が敷設されているとともに、床上へ突き出たフレーム部分の外周には図６３の正面側を除いて保護カバー５３３が被せられ、その更に外周にはクッション材５３４が被せられている。５３５は保護シャッターで、避難したあとに閉じて倒壊により飛散してくるものから避難者を護るためのもので、５３６はマグネットや掛止具などの受け具、５３７は自由繰り出し防止のためのロック具である。【００８８】  緊急地震速報や地震発生時には避難者は矢印Ｅのように同装置内に飛び込み家屋が倒壊したり家具の飛散などの非常事態から避難する。【００８９】  図６４は他の実施形態を示す。同実施形態は、地震発生に伴いマンションなどの高層建築物５４０におけるエレベーターが故障・停止した際に地上から緊急用品５４１…を上階層まで臨時に届け得るようにした緊急搬送装置に関する。【００９０】  同装置は、簡易式でロック可能なウインチ５４２を備えた基台５４３をアンカー５４４により地盤に固定できるようにしておき、同ウインチ５４２からは、同図左欄のように２本など複数本のロープ・ワイヤなどの張り線ガイド５４５が巻き取り・繰り出し可能とされ、同ガイド５４５の先端は、高層階の廊下仕切りに固定される巻上げウインチ５４６付上部フレーム５４７に連結されるようになっている。
同フレーム５４７は、非常時に備えてマンション内の屋上などに設置しておけば容易に適宜階に搬送することができるし、備えていない場合でも階段を介して高層階に持ち込み得る。【００９１】  このフレーム５４７には、巻き上げウインチ５４６により廊下側から回転連動可能な巻上げドラム５４８が装備され、同ドラム５４８には、ロープあるいはワイヤなどの巻き上げ線条５４９が巻き取られている。【００９２】  この線条５４９の下端は張り線ガイド５４５に沿って下向きに伸びており、その先端は、ガイド５４５に沿って昇降されるアルミあるいは樹脂製などの軽量枠型昇降体５５０に連結されている。昇降体５５０には遊転しながらガイド５４５に添うローラー５５１…が複数設けられており、同昇降体５５０の一側には緊急用品５４１を載せるための用品入れ５５２が取り付けられている。
基台５４３はマンション５４０から少し離れた位置に持ち込まれてアンカー５４４で固定される一方、上部フレーム５４７は高層階に持ち込まれて固定される。その状態からウインチ５４２により張り線ガイド５４５が張られるとともに用品入れ５５２付昇降体５５０が同ガイド５４５に装備される。巻き上げウインチ５４６を操作してドラム５４８を回して昇降体５５０を下まで降ろすことで緊急用品５４１を用品入れ５５２に次々に載せることができる。そのあと、巻き上げウインチ５４６を回すことでドラム５４８が回転し線条５４９が引き上げられ、用品入れ５５２が引き上げられる。【００９３】  図の上部は引き上げられた様子を示し、この状態から内部の用品５４１を取り出して用に供する。ウインチ５４６を緩める方向に回転することで用品入れ５５２は次の作業のために降ろされる。張り線ガイド５４５は垂直に張ってもよい。
尚、図６４の右欄に示すように、昇降体５５３をアルミ合金型枠製などで平面枠状（前記実施形態では立体枠状）に軽量簡素化してその一側に備えた簡易軽量型ローラー５５４を張り線ガイド５５６に掛けて転動案内させるようにし、昇降体５５３のマンション側に樹脂・布製など折り畳み可能な軽量型用品入れ５５７を装備して軽量簡略化を図るようにしてもよい。【００９４】  図６５（平面図）、図６６（正面図）および図６７（側面図）は他の実施形態を示す。同実施形態は、床上設置型の新設式避難テーブルに関する。このテーブルは、図示した一式が組み合わさって新規テーブルとして構成されているが、テーブルの天板のみを既設のものを利用してもよい。この場合、天板の裏補強枠はそのままでも取り外してもよい。【００９５】  一般のテーブルは、その裏面に補強枠を備えるものや備えていないものが一般的であるがテーブルとしての機能は持ち合わせるが耐震強度を十分配慮していないものが殆どで特に対衝撃強度には問題がある。また、テーブルの中央と床との間に突っ支い棒のようなものを介在させ止め付けるものも販売されているが、その支持ポイントはテーブル中央に過ぎず、例えば、テーブルのスパンの長い側辺中間点Ｘは倒壊時の衝撃負荷に対して最も弱く、したがって脚柱など他の部分を強度アップしても肝心なＸ個所が弱いため損壊しやすく、避難していると却って危険である。【００９６】  そうしたことから図６５ないし図６７に示すように耐震機能を配慮した避難用のテーブルを提案する。
同テーブルは、四辺形の天板５６０を備え、この天板５６０は木製であるが樹脂や金属などで製作してもよい。１枚ものであるが図６６の右欄に示すように複数枚をサンドイッチ式にしたものでもよい。サンドイッチの複数枚間に緩衝材ａを挟むと衝撃に有効である。この緩衝材ａは、波板状にしたり、天板５６０の長辺に沿った一部のみに帯状に設けたものでもよい。【００９７】  ５６１は受けフレームで、前後一対のものでなり、アルミ合金枠や鋼鉄・ステンレスなどの四角なパイプを２段階に曲げ成形したものでなる。
５６２は底受部、５６３は脚部、５６４は脚下部であり、底受部５６２の両端を直角に折り曲げて脚部５６３とし、同脚部５６３の下端を天板幅内方向に直角に短く折り曲げて脚下部５６４としたものである。【００９８】  ５６５は底板で、脚下部５６４の底面に水平をなして溶接固着されその底面に粘着パッドや両面テープなどの貼り付け材５６６を介して床板５６７上に固定されるようになっている。５６８は取付板で、底受部５６２の内側面に溶接固定されて止着具５６９…により天板５６０側に受けフレーム５６１を固定してある。５７０は継ぎ材で、脚下部５６４に差し込まれてこれら相互をつなぐようにしている。５７１は止め具である。５７２はアンカーで、脚下部５６４の孔から床板の通孔を通じて床下地盤まで打ち込まれてテーブルを地盤に固定するものであるが、構成しないこともある。【００９９】  尚、脚部５６３には脚下部５６４を曲げて形成してあるが、脚下部５６４を脚部５６３とは別体ものとし溶接あるいは止着により一体化してもよい。
脚下部５６４は構成せず、脚部５６３の下端に直接底板５６５を固定することもある。
底板５６５は床板に止め付け得るようにしてもよい。【０１００】  尚、上記各発明は、当該実施形態以外に、当該実施形態に基づくとき当業者であれば容易に考え付く所謂自明な程度に変更・変形可能な態様の全てを含むものである。
【図面の簡単な説明】
【０１０１】
【図１】  本発明の一実施形態を示す平面図。
【図２】  図１のＩＩ−ＩＩ線断面図。
【図３】  他の実施形態を示す断面図。
【図４】  他の実施形態を示す断面図。
【図５】  他の実施形態を示す斜視図。
【図６】  他の実施形態を示す斜視図。
【図７】  他の実施形態を示す斜視図。
【図８】  他の実施形態を示す断面図。
【図９】  他の実施形態を示す斜視断面図。
【図１０】  他の実施形態を示す正面図。
【図１１】  他の実施形態を示す側面図。
【図１２】  他の実施形態を示す横断平面図。
【図１３】  他の実施形態を示す斜視図。
【図１４】  他の実施形態を示す断面図。
【図１５】  付加的な提案例を示す斜視説明図。
【図１６】  図１５の要部拡大断面図。
【図１７】  他の提案例を示す斜視断面図。
【図１８】  他の提案例を示す説明図。
【図１９】  他の提案例を示す斜視図。
【図２０】  図１９の要部拡大説明図。
【図２１】  他の提案例を示す斜視図。
【図２２】  他の提案例を示す説明図。
【図２３】  他の実施形態を示す平面図で、その上半分は図２４のＨ−Ｈ線断面図、その下半分は天蓋を一部のみで示す上面図。
【図２４】  図２３のＶ−Ｖ線断面図。
【図２５】  図２４の仮想線で示す実施形態に基づく斜視図。
【図２６】  他の実施形態を示す平面図。
【図２７】  他の実施形態を示す斜視図。
【図２８】  他の実施形態を示す斜視図。
【図２９】  他の実施形態を示す側面図。
【図３０】  他の実施形態を示す一部切断正面図。
【図３１】  図３０のＨ−Ｈ線断面図。
【図３２】  図３０の右側面図。
【図３３】  図３０の底面図。
【図３４】  他の実施形態を示す正面図。
【図３５】  地震対策避難用テーブルの例を示す平面図。
【図３６】  図３５の正面図。
【図３７】  補強セットの分解斜視図。
【図３８】  他の実施形態を示す平面図。
【図３９】  図３８の正面図。
【図４０】  他の実施形態を示す平面図。
【図４１】  図４０の正面図。
【図４２】  他の実施形態を示す斜視図。
【図４３】  椅子の他の実施形態を示す側断面図。
【図４４】  テーブル固定方法の他の実施形態を示す断面図。
【図４５】  テーブル固定方法の作業手順を示す断面図。
【図４６】  テーブル固定方法の作業手順を示す断面図。
【図４７】  テーブル固定方法の作業手順を示す断面図。
【図４８】  テーブル固定方法の作業手順を示す断面図。
【図４９】  テーブル固定方法の他の実施形態を示す断面図。
【図５０】  テーブル固定方法の作業手順を示す断面図。
【図５１】  テーブル固定方法の作業手順を示す断面図。
【図５２】  テーブル固定方法の作業手順を示す断面図。
【図５３】  テーブル固定方法の他の実施形態を示す断面図。
【図５４】  テーブル固定方法の作業手順を示す断面図。
【図５５】  図５４のＨ−Ｈ線断面図。
【図５６】  テーブル固定方法の他の実施形態を示す断面図。
【図５７】  他の実施形態を示す断面図。
【図５８】  図５７のＹ矢視図。
【図５９】  他の実施形態を示す平面図。
【図６０】  その正面図。
【図６１】  図６０の右側面図。
【図６２】  他の実施形態を示す縦断面図。
【図６３】  図６２のＹ矢視図。
【図６４】  他の実施形態を示す側面図。
【図６５】  他の実施形態を示す平面図。
【図６６】  図６５の正面図。
【図６７】  図６６の右側面図。
【符号の説明】
【０１０２】  ８…堀込み空間  １２…基礎ブロック  １４…支柱  １９…テーブル  ２０…凹所  ２１…座板  ２４…階段。
【図１】
2009082685.tif 000003
【図２】
2009082685.tif 000004
【図３】
2009082685.tif 000005
【図４】
2009082685.tif 000006
【図５】
2009082685.tif 000007
【図６】
2009082685.tif 000008
【図７】
2009082685.tif 000009
【図８】
2009082685.tif 000010
【図９】
2009082685.tif 000011
【図１０】
2009082685.tif 000012
【図１１】
2009082685.tif 000013
【図１２】
2009082685.tif 000014
【図１３】
2009082685.tif 000015
【図１４】
2009082685.tif 000016
【図１５】
2009082685.tif 000017
【図１６】
2009082685.tif 000018
【図１７】
2009082685.tif 000019
【図１８】
2009082685.tif 000020
【図１９】
2009082685.tif 000021
【図２０】
2009082685.tif 000022
【図２１】
2009082685.tif 000023
【図２２】
2009082685.tif 000024
【図２３】
2009082685.tif 000025
【図２４】
2009082685.tif 000026
【図２５】
2009082685.tif 000027
【図２６】
2009082685.tif 000028
【図２７】
2009082685.tif 000029
【図２８】
2009082685.tif 000030
【図２９】
2009082685.tif 000031
【図３０】
2009082685.tif 000032
【図３１】
2009082685.tif 000033
【図３２】
2009082685.tif 000034
【図３３】
2009082685.tif 000035
【図３４】
2009082685.tif 000036
【図３５】
2009082685.tif 000037
【図３６】
2009082685.tif 000038
【図３７】
2009082685.tif 000039
【図３８】
2009082685.tif 000040
【図３９】
2009082685.tif 000041
【図４０】
2009082685.tif 000042
【図４１】
2009082685.tif 000043
【図４２】
2009082685.tif 000044
【図４３】
2009082685.tif 000045
【図４４】
2009082685.tif 000046
【図４５】
2009082685.tif 000047
【図４６】
2009082685.tif 000048
【図４７】
2009082685.tif 000049
【図４８】
2009082685.tif 000050
【図４９】
2009082685.tif 000051
【図５０】
2009082685.tif 000052
【図５１】
2009082685.tif 000053
【図５２】
2009082685.tif 000054
【図５３】
2009082685.tif 000055
【図５４】
2009082685.tif 000056
【図５５】
2009082685.tif 000057
【図５６】
2009082685.tif 000058
【図５７】
2009082685.tif 000059
【図５８】
2009082685.tif 000060
【図５９】
2009082685.tif 000061
【図６０】
2009082685.tif 000062
【図６１】
2009082685.tif 000063
【図６２】
2009082685.tif 000064
【図６３】
2009082685.tif 000065
【図６４】
2009082685.tif 000066
【図６５】
2009082685.tif 000067
【図６６】
2009082685.tif 000068
【図６７】
2009082685.tif 000069
【手続補正書】
【提出日】平成20年7月23日(2008.7.23)
【手続補正１】
【補正対象書類名】明細書
【補正対象項目名】全文
【補正方法】変更
【補正の内容】
【発明の詳細な説明】
【技術分野】
【０００１】  この発明は、地震に伴う家屋の倒壊などの危険から住民を防護することのできる安全防護装置に関する。
【背景技術】
【０００２】  地震に伴う家屋の倒壊は圧死を招き、先の地震でも圧死した人の多いことが問題となった。その一方で、一般国民には、緊急地震速報や地震警報器などの手段でＰ波発生直後に地震来襲の警告を発することができるようになってきた。
【発明の開示】
【発明が解決しようとする課題】
【０００３】  しかしながら、警告を発するようになっても住民は確たる逃げ場所がないのが実状である。その一対策案として、例えば、特許第３７７９３８１号などのように食卓テーブルを下支えする地震用つかまり棒のような技術が開示されているが、現実には床構造が従来通りであるため床抜けし却って危険である。
この発明は、上記に鑑みなされたもので、地震襲来の警報に基づきに逃げる場所が底抜けしない強固な支持構造となっていて倒壊しても非常に安全な安全防護装置を提供することにある。
【課題を解決するための手段】
【０００４】  上記課題を解決するため、請求項１記載の発明は、天面部材と、同天面部材を支える支持部材とを備え、地震に伴う家屋倒壊に対抗し得る強度をもたせてなるテーブルや机などの安全防護装置であって、前記支持部材は、床下基盤側に固定されてなる。
【発明の効果】
【０００５】  この発明によれば、天面部材と、同天面部材を支える支持部材とを備え、地震に伴う家屋倒壊に対抗し得る強度をもたせてなるテーブルや机などの安全防護装置であって、前記支持部材は、床下基盤側に固定されてなるので、地震襲来の警報に基づきに逃げる場所が底抜けしない強固な支持構造となっていて倒壊しても非常に安全な安全防護装置を提供することができる。
【発明を実施するための最良の形態】
【０００６】  以下、この発明の一実施形態を図面にしたがって説明するが、ここで説明する各実施形態に含まれる個々の提案例は他の実施形態にも適用されるものとする。また、各構成部材の材質は木材・金属・樹脂（発泡スチロールも含む）など現存するすべてのものを利用し得るものとする。
図１、図２は、この発明に係る安全防護装置の１つの実施形態を示し、図１は平面図、図２は図１のＩＩ−ＩＩ線断面図である。【０００７】  これらの図において、１はリビング（あるいは客室）の一部を示し、同リビング１は新設および既設の双方を含む。この場合のリビング１は、床下地盤（床下基盤）２の上に束石３・床束４・大引き５・根太６…などの床下構造を配しその上にフローリングともいう床板７を直接敷設固定した一般的なものになっている。床下をベタ基礎とする方式では該コンクリートが床下基盤となり、この場合、支持部材は新築工事の際に同時埋め込みあるいはアンカー固定し、既設の基盤ではハツリによる埋め込みかアンカー固定により基部が固定される。【０００８】  このリビング１は、既設のものとして説明するが新設の場合も同様の構造になる。すなわち、同リビング１は、掘ごたつ式構造になっている。
９は裏受材で上下に配し、これら裏受材９などを介して立面を仕切り立板１０で仕上げるとともに床下地盤２上に対応して矩形をした内底板１１を敷設して独立した掘ごたつ式空間を形成してある。内底板１１は、床下地盤２上に仕上げたモルタル基盤上に直接あるいは根太材を介して間接的に敷設することもできる。【０００９】  １２は埋込コンクリート型の基礎ブロックで既製のものとされ、同ブロック１２は角柱形や丸柱形などに形成されるとともに、床下基盤２の４点配置に設けられている。これらブロック１２の中央には縦穴１３が空けられ、その中を通じて上からの支柱（支持部材）１４の根元が差し込まれるとともにその際緩衝材１５を介装しかつモルタル固着材１６を介装してある。この場合、支柱１４の回りに緩衝材を入れることがある。これら支柱１４…は、床板７よりも上に伸び、これらの上端には緩衝材１５を介して連結筒１７が被せられている。連結筒１７と支柱７とはスライド自在とされているが、溶接や止め付けられてもよい。１８は止着具であり、これらを介してテーブル（天面部材）１９が連結固定されている。【００１０】  この場合の堀ごたつ空間（堀込み空間）８はそれだけでなく、テーブル１９の長辺方向および／または短辺方向に沿って凹所２０が形成されている。この凹所２０には、警報後に図２の仮想線のように反転操作される座板２１がヒンジ２２によって回転自在で元に戻すと裏面の受ブラケット２３により水平になるように設けられている。これにより、座板２１を反転することにより避難しにくい床板７とテーブル１９間の間隔が広くなってもぐり込みやすくなる。また、凹所２０の奥隅部には、段差を少なく安全に避難し得るように階段２４が１段あるいは複数段固定して設けられている。階段２４はスロープでもよい。【００１１】  尚、座板２１は、その先端を持ち上げるようにしてもよいし、持ち上げ穴２５により持ち上げるようにしてもよい。
もぐり込む際に頭を打たないようにテーブル１９の角には図２の右上欄に示すようなクッション２６を外付けしたり凹所に嵌め付けるようにしてもよい。同クッション２６は、テーブル１９と同じ高さ寸法のもの２６を外周に添って固着してもよい。
図２に示すように、堀込み空間の底には飛び込んだ際に安全なように中敷きクッション２７を設けてもよい。このクッション２７内には活性炭を含ませてもよい。
前記基礎ブロック１２は構成せず床下地盤２に支柱１４を直接あるいは縦パイプを介して挿入固定するようにすることもある
凹所２０は図１のうちのもぐり込み易い側である１個所のみに設けてもよい。
前記座板２１は、使用を終わった際に同時に後方へバネで反転するようにしてもよい。
前記座板２１には、図２の右下欄のように背もたれａが設けられていて、避難する際、同背もたれａを後向きに押し倒すと座板２１もついてきて、さらに座板２１を折り畳み式に倒すことができるようにすれば避難のためのもぐり込み通路が簡単かつ迅速に得られるようになる。
上記細部の提案例は他の実施形態にも適用される。【００１２】  図３は他の実施形態を示す。同実施形態は、仕切り立板３０と内底板３１で形成された堀込み空間３２に基礎ブロック３３を介して支柱３４…を立設固定してテーブル３５を固定設置するとともに凹所３６内に階段３７および座板３８を装備して避難しやすくしたものであって、特に、テーブル３５内にもぐり込んだあと、蓋３９を開けることによりステップ４０…を利用して地下シェルター４１内にまで安全避難できるようにしてある。このシャルター４１は仮想線のような深いものにしてもよい。
この地下シェルター４１は、蓋３９を防火・防炎型とすることで家屋の火災時にも対処できるものであり、その場合、酸素ボンベや他の救急用品類を常備しておいたり家屋内から持ち込むようにする。【００１３】  尚、前記座板３８は、回転によらず、前後スライド方式になっており、この場合、操作穴４２によりスライドさせるようにしたり、あるいはソレノイド・駆動モーター・空圧シリンダなどの駆動手段４３により進退（特に引き動作が優先）させるようにしてもよい。この強制駆動をさせる場合、避難経路上に操作スイッチを配しておくことができる。
また、この座板３８は、縦軸回りに回転して凹所３６内に出没（特に後退が優先）可能にすることもできる。
さらに、４４は開閉床板で、その下方には収納空間４５が形成されている。
また、テーブル３５は、上板４６と下板４７とでなり、下板４７が支柱３４と連結されるとともに上下板４６，４７間には緩衝材４８が介装されて衝撃をここで吸収するようにしてある。
さらに、支柱３４は、右下欄に示すように、Ｕ字パイプで形成しアンカーブラケット４９とアンカー４９ａとにより床下地盤側に打ち込み固定するようにしてもよいし、さらに右欄のように、Ｊ形支柱３４として固定するようにしてもよい。前記Ｕ字あるいはＪ字パイプは短辺側において構成してあるが、長辺側において構成してもよい。アンカーブラケット４９は地盤内に埋め込むことは自由である。
上記細部の提案例は他の実施形態にも適用される。【００１４】  図４は他の実施形態を示す。同実施形態は、堀込み空間５０に基礎ブロック５１を介して支柱５２を立設するとともに凹所５３内に階段５４と座５５を装備してなるものであって、特に、支柱５２に昇降支柱５６を挿入して止着具５７により適宜高さで固定自在とするとともにこれら昇降支柱５６…上にテーブル５８を固定して床上の椅子５９に座る人用の高いテーブル５８とすることもできるようにしたものである。
この場合、手動で昇降調節できるようにする場合と、図示のようにターンバックル式のジャッキ６０あるいは空圧シリンダ、バランスウエイトにより軽快操作可能なリンク機構などにより昇降可能とする場合がある。
また、座５５は発泡スチロール製などの軽量材で形成し、さらに軽量化のため空洞を形成しておいてもよい。
さらに、前記支柱５２はなしとしジャッキ６０の１本のみで支えるようにしてもよい。ジャッキ６０と支柱２本とで構成してもよい。【００１５】  図５は他の実施形態を示す。同実施形態は、堀込み空間６３内を介して４本の支柱６４およびテーブル６５を装備したものであって、特に、座部６６が固定式で同座部６６とテーブル６５間のもぐり込み間隔が狭いような場合に対応したもので、テーブル６５が分割式とされるとともに矢印のように取り外し自在とされることで上方から越えて避難することができるようにしたものである。
尚、前記テーブル６５の分割数は２枚・４枚などでもよい。
また、内底部にはクッション６７を敷設しておけば安全である。このクッション６７内には活性炭を含ませてもよいし、堀込み空間６３内の立面にも活性炭を張り付けもよい。６８は取り外し用の操作穴である。【００１６】  図６は他の実施形態を示す。同実施形態は、門型支柱７１の一対間を幅間部材７２で結合した支持部材の上にテーブル７３を載せ付けたものであって、同テーブル７３が３枚に分割され、その中央のものが幅間部材７２に固定される一方残る前後の端材がヒンジ７４により開閉自在とされたものである。
尚、前記支柱７１は門型であったが仮想線のように１本柱型であてもよい。
また、右欄図のように、テーブル７３は２枚式としその１枚が固定で残る１枚がヒンジ７４で開閉式とされることもある。
さらに、左下欄のように、テーブル７３は１枚ものとし、カウンタバランスガスシリンダ７５付きでヒンジ７４を中心に軽快にテーブル７３が持ち上げられる一方数秒で復帰するように構成してもよい。このシリンダ７５は、図６および同図右欄の実施形態その他に同様に適用することができる。【００１７】  図７は他の実施形態を示す。同実施形態は、縦横枠型にした土台７７の交差部から立設した支柱７８に斜め補強材７９を備えるとともに支柱７８間を連結梁８０で連結し、さらに支柱７８から昇降支柱８１を延ばしてその上にテーブル８２を固定して構成したものを、土台７７・補強材７９および支柱７８の下部が床下地盤８３内に没するように埋め込み固定し、掘込み空間８４の開口面内に支柱７８の上端がくるようにして昇降支柱８１により適宜高さにテーブル８２がくるようにしたものである。
テーブル８２は、堀ごたつのように低い状態と床上に椅子を設置した場合のような食卓方式のように高い状態に高さ設定することができる。高い状態に設定した場合には、堀込み空間８４の内縁が避難時の腰掛になるので、長い時間そこに腰掛けて避難体勢を維持することができしかもテーブル８２が高いので体勢に無理がなくて疲れにくいものとなる。
尚、テーブル８２は別途駆動手段により避難時に緊急的に高くすることができる。この駆動手段は緊急地震速報に連動させることもできる。
図７の右下欄図は、土台７７を図示しないアンカー金具により床下地盤側に固定するとともに、土台７７から伸びた４本の支柱７８が床材Ｆの孔Ｋを突き抜けて床上に立ち上がるようにしてある。これらの支柱７８上を介してテーブル８２が固定されており、同テーブル８２は周りの腰掛椅子（図示省略）に座って食事などをするに適した食卓型の高さになっている。そして、地震時にはテーブル８２下に避難することもできる他、床材Ｆに設けられた蓋Ｇを矢印のように開けることで床下空間にまで避難することを可能としたものである。蓋Ｇは一側のヒンジを中心に片開き方式でもよい。蓋Ｇを開けることで上記したように腰掛式に避難することもできる。さらに、図３のように、更に地盤下の避難凹所へと矢印Ｘの如く避難できるようにしてもよい。また、支柱７８の回りには、化粧板ａとコーナー材ｂとで化粧カバーを構成してもよい。尚、右下図の土台７７は、図７の土台７７および補強材７９のような構造にしてもよい。【００１８】  図８は他の実施形態を示す。同実施形態は、床束など床下支持構造８５を介して敷設した床板８６の上に畳８７を敷設したものにおいて、地震警報後にこの畳８７の１枚を開けて開閉床板８８を開くことによりその床下空間に避難することができるようにしたものである。開閉床板８８は畳８７に付帯させてもよい。８９は受束である。
この場合、さらに地下シェルター９０を構成して閉止蓋９１を開いてステップ９２により降りることで避難可能にする。９３は非常用品入れである。９４は内側からのみ開くことのできる侵入者防護板である。尚、シェルター９０と外部とは虫と洪水避け機能をもつ逆Ｕ字管９５に接続された空調管９６を連通しておき、地震に伴う火災時の空調を確保するようにしてもよい。畳８７はできるだけ軽量な内部発泡スチロール製のものを使用する。畳８７の開く広さは、半畳分のみでもよい。９７は畳を持ち上げて開く際の取っ手ヒモである。【００１９】  図９は他の実施形態を示す。同実施形態は、床上にベッド１００を設置した床下構造を同ベッド１００の近くに設けた開閉蓋１０１を地震警報後に開くことで曲がり階段１０２を利用して地下シェルター１０３内に避難することができるようにしたものである。【００２０】図１０ないし図１２は他の実施形態を示す。同実施形態は、緊急地震速報報知から避難するテーブル（ダイニングテーブルや机など）を固定型でかつ耐震補強型とした例を示すもので、同実施形態は、床板上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。特に、この実施形態では１ｍ２当たり約３０トンの耐荷重をもつ強化発泡スチロール（略称：ＥＰＳ）を使用して強力な耐荷重をテーブルに与えるとともに広い受担面積で床底抜けも有効に防止するようにしたものである。
３００は床板、３０１は天板で、木質や金属・樹脂などいずれの材質でもよい。３０２は脚柱で、丸柱状（パイプ状でもよい）あるいは角柱状（パイプ状でもよい）もしくは板状のものでもよい。３０３は補強枠材である。これらでなるテーブルは、既設であったり新設であることもある。【００２１】３０４は底受枠、３０５は天受枠で、木質・金属・樹脂などで四角な受け皿状に形成され、この実施形態では、天受枠３０５の方を少し深くしてある。両枠３０４，３０５は同じ内深さにしてもよい。両受枠３０４，３０５を図示天受枠３０６のように少し深めにすると地震時の抜け出しがより有効に阻止される。【００２２】３０６は補強コラムでＥＰＳ製で、四角柱状に形成され、その上下は前記受枠３０４，３０５内に嵌り合う関係になっている。
テーブルが既設のものである場合、天板３０１の床面からの高さＨを購買者において測ってもらってその値を製造者に連絡してもらうかあるいは製造者によって直接測る。その寸法Ｈが分かると、受枠３０４，３０５の底板厚みａ、ａから計算して補強コラム３０６の高さｈをＨ−２ａとして切断し、図１２の右欄のように化粧外包材３０７を張付け購買者のもとに受枠３０４，３０５と必要な後述するねじ・両面テープ類などとともに一式セットで宅配すれば購買者は作業要領説明書に従ってテーブル下にこの補強セットを組み込むことができる。【００２３】ここで、組み込み要領の一例として、例えば、底受枠３０４を床板３００上に先にセットする場合について説明すると、テーブルを正規位置決めした状態で、底受枠３０４を図１０の平面図の破線のように図１２の両面テープ３０８を使って床板３００上に固定する。テープ３０８はエラストマー質などの粘着マットでもよい。【００２４】そののち、テーブルを脇に移し、補強コラム３０６を底受枠３０４内に嵌め込むようにして立設し、天受枠３０５をその上に被せるようにする。上の両面テープ３０８の剥離テープを剥がしておいてその上に天板３０１を接着するようにしてテーブルを載せ付けるようにすれば組み付けは完了する。
天受枠３０５をテーブルに先にセットする場合、テーブルを逆様にしてその天板３０１の底面の所定位置に天受枠３０５を接着する。底面ねじ孔３０９ｂを利用してテーブル側にねじ止めしてもよい。
さらに天受枠３０５の上に補強コラム３０６および底受枠３０４を取り付け、底受枠３０４の両面テープ３０８の剥離テープを剥がした状態にしてこれら３０４，３０６，３０５とテーブルを逆様状態から元に戻して所定位置に固定する。尚、コラム３０６と受枠３０４，３０５は両面テープ３０８で接着するようにすれば逆様状態から元に戻す際に底受枠３０４やコラム３０６などが抜脱しない。３０９ａは側面ねじ孔で、側方から受枠３０４，３０４とコラム３０６とを連結するときにねじを通すために用いられる。３０９ｂは底面ねじ孔で、天板３０１・底板３００への取り付け時に用いられる。【００２５】尚、図１２の右欄に示すように化粧外包材３０７をコラム３０６の上下面にも付しておけば高さＨのコラム３０６をそのままテーブル下に組み込むことができ、この場合も両面テープ３０８で上下面を天板３０１および床板３００に接着固定するようにする。化粧外包材３０７はポリガード（ＰＧ：商品名）その他の吹付け膜であったりＦＲＰ仕上げにしてもよい（以下の実施形態でも同様に適用できる）。このように固定されたテーブルであるので、地震発生時の避難場所として移動せずしかも安全な避難場所を提供できる。前記受枠３０４，３０５の縁はコラム３０６やテーブルの移動を阻止する。
コラム３０６は図１０に示すように四角柱の辺がテーブルの辺に対して４５度傾斜して設置されているので椅子に座った人の足がコラム３０６の角に当たりにくくなっているが、同図右上欄のように四角柱の辺とテーブルの辺が平行になるように設置してもよい。この場合、コラム３０６には面取りａ…を付しておいて足が当たらないようにしてもよい。同コラム３０６はその他の多角形にしたり円柱状や楕円柱状にしてもよい。また、コラム３０６は筒状にしてもよく、この場合、内部空間を収納空間にしてもよい。
尚、前記ＥＰＳ以外の発泡樹脂材もこの実施形態に含む。【００２６】図１３ないし図１５は他の実施形態を示す。同実施形態は、同じくＥＰＳ材を使った地震対策用避難テーブルに関する。同実施形態は、床板上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。
３１０は床板で、その上に一対の脚柱３１１が設けられている。これらの脚柱３１１は、四角ブロックであるＥＰＳを対角線上に添って切断して２分した三角柱状でなり、その上端三角形の中央には溝３１２が形成されている。天板３１３には木質あるいは金属質などの補強材３１４が固着され、同補強材３１４が溝３１２内に嵌り込むようになっている。
脚柱３１１には外装３１５が施されているのでそのまま両面テープで天板３０１や床板３１３側に接着固定できる。前記溝３１２はその際の固定状態をより完全に確保する。
前記脚柱３１１が三角柱になっているのは、座った人の足回りに支障がないようにするためであるが、四角形や楕円型などでもよい。
尚、前記天板３１３は既設のものでも新設のものでもよく、既設のものである場合には、当然ながら旧脚柱や補強部材などは取り外すものとする。
また、図１３および図１４に示すように、補強材３１４と脚柱３１１を第１止着具ａ…により連結し、補強材３１４と天板３１３とを第２止着具ｂ…で連結してより完全な一体化を図るようにしてもよい。
前記補強材３１４は、天板３１３の幅方向両端側辺に沿った長手方向にも付すことがあり、この場合、倒壊物の衝撃から天板３１３を有効に防護する機能を果たす。【００２７】図１５および図１６は他の実施形態を示す。同実施形態は、天板３１６と脚柱３１７を備えたテーブル（あるいは机など）に敷盤３１８を組み合わせて地震時にも移動せず倒壊時にも強いテーブルとして避難シェルターとなるようにしたものである。
敷盤３１８は、薄い木質の板からなり、樹脂板や合成ゴム板などでもよい。この敷盤３１８は両面テープ３１９により床板３２０上に固定されるがビスａによる止め付けも可能である。テーブルは両面テープ３１９により敷盤３１８上に固定されるが裏面からビスａ…により止め付けるようにしてもよい。両面テープ３１９とビスａ…を併用して固定してもよい。
敷盤３１８を充分広い面積としてあるのは地震時に敷盤３１８が剥がれにくくすることでテーブルを動きにくくするためと椅子下まで敷盤３１８がくるようにすることで椅子３２１が段差にかからないようにするためである。しかし、逆に、椅子３２１の脚が床板３２０上に全てあるように敷盤３１８を図１５の仮想線のような切り欠き３１８ａをもつ平面Ｉ型あるいはＨ型をした狭いものにしてもよい。
こうしてテーブルは固定されるが、敷盤３１８の中央上には天板３１６を受け止めるコラム３２２を立設しておいてもよい。このコラム３２２はＥＰＳであったり樹脂や木質などいかなる材料でもよいし、中実状あるいは中空状でもよい。このコラム３２２には仕上げ外装ｃを付す。
逆に、既設のテーブルを対象とする場合、脚柱３１７…を外してコラム３２２のみで支持するようにしてもよいし、新設のテーブルである場合には脚柱３１７のないタイプにすることができる。
同コラム３２２は円柱状であったが、楕円柱・三角や四角柱（図１５の右上欄図）などにしてもよいし、複数本のコラムとしてもよい。
コラム３２２は敷盤３１８に脱着自在にして単独で運べるようにしてもよい。この場合、フランジ３２３・コラム３２２・敷盤３１８は締め付けボルトｂにより組み立て可能にしてもよい。このボルトｂは図１６の右欄に示すように外周に配置してもよい。
また、同コラム３２２はフランジ３２３などを介してビスａで止め付け可能にしてもよい。
敷盤３１８・コラム３２２・両面テープ３１９などが１つのセットとして販売され得る。
敷盤３１８は温熱ヒーター方式としたりカーペット方式にしてもよい。
さらに、図１５に示す椅子３２１は、ＥＰＳなどの発泡樹脂製や木製などによりテーブルの天板３１６の底面高さよりも少し低い程度の背もたれ３２１ａをもつものにして地震時は矢印のように引き込むことによりテーブルに倒壊力が作用してもそれを受け止めるようなものにしてもよい。
上記各実施形態（後述するものも含む）における両面テープは、エラストマー質などの粘着マットあるいはシートを含むものである。両面テープあるいは粘着マット類を使用する際は、着装の対象面が木質面などで平滑な面でない場合には平滑調整シート（あるいはマット）を事前に付すこともある（このことは他の実施形態でも同様に適用できる）。【００２８】図１７は他の実施形態を示す。同実施形態は、天板３２６と脚３２７で構成されたテーブルに対し椅子３２８がＥＰＳ（強化発泡スチロール）を本体としそれを外装したものでなり、その上にクッション３２９を備えて座りやすくしてある。この椅子３２８は、非常に強度が高いものであるので、テーブル下に避難した際に引き入れるようにすれば仮に倒壊してきても最低限の安全は確保されるものである。その際、クッション３２９は緩衝機能を果たす。ｅは引き手孔である
尚、椅子３２８は、図１８に断面を示すように、バネ３３０を介して出没する転動輪３３１を備えて座ると安定になる一方避難時には簡単に移動できるように構成することができる。３３２は背もたれである。クッション３２９はマグネットＭや面ファスナーなど簡易脱着手段を介して脱着可能にしてもよい。【００２９】図１９ないし２３は他の実施形態を示す。同実施形態は、既設木造住宅その他を対象とするもので、特に、テーブルを床下地盤側に固定したものである。地震時にテーブル下に避難しようとしてもテーブルは衝撃で跳んだり転んだりするため避難場所として全く機能してくれない状態となる。【００３０】その点を改善するためこの実施形態を提案するもので、図１９は工事開始状況、図２３は工事完了直前状況をそれぞれ示し、図２０〜２２は工事途中の作業状況を示す。
図１９において４０１は床下地盤で、小石混じりの土砂やコンクリート盤のこともあり、４０２は束石、４０３は床束、４０４は大引き、４０５は根太をそれぞれ示す。これらの上に床板４０６が敷設されているが、床板４０６の下に下地材を敷設する場合もある。また、床板４０６は畳材その他のこともある。【００３１】図２３のテーブルは、天板４０７と４本の脚４０８および補強枠４０９でなり、既設のものであるが、新設である場合がある。
図１９のＷは図２３のテーブルの長辺側２本の脚４０８の中心間の間隔を示し、短辺側２本の脚の中心間の間隔はここでＬとする。
図示リビングの床板４０６上にカーペットや絨毯がある場合はそれらを取り除き、床板４０６上の、テーブルを設置する４点を決め、その４点、すなわち、間隔Ｗで奥行Ｌの関係をなす４点に孔明けのためのマーキングを施す。【００３２】４１１はホールソーで電動ドリル４１２に装着されており、このホールソー４１１のガイドドリル４１３を前記で印した４点にマッチングさせ穴明けしてゆく。その直径は、図２０に示す金属や樹脂パイプ製下部コラム４１４の外径Ｄよりも少し大き目のものである。やや余裕のある直径の穴を明けてもよい。尚、この穴はジグソーや手動穴明け具など、いかなる用具を使用して明けてもよい。また、マーキングに当たっては先に床下にもぐって大引き４０４や根太４０５などを避ける位置を選択するのが好ましい。【００３３】４１５は通穴で４点に明けられ、図示では丸穴であるが角穴その他でもよい。そののち、図２０に示すように、床下に作業者Ｂの１人がもぐる。その際、作業者Ｂは４個の固定座４１６…を持って入り、前記４点の下方にそれぞれを配置してゆく。この固定座４１６は、図２１の下欄に示すように円筒体４１６ａとその下端の孔付きのフランジ４１６ｂとを有するもので、円筒部分には水平方向に通し孔を備えている。固定座４１６は金属製あるいは樹脂製など材質は問わない。【００３４】  下方に配置した固定座４１６に対し、床上の作業者Ａは、下部コラム４１４を通穴４１５を通じて図２０の矢印のように降ろして床下の作業者Ｂとの位置合わせをしながら嵌め合わせてゆく。下部コラム４１４は上下貫通状の丸パイプでその上端外周の上フランジ４１４ａが床板４０６上に一杯までくるようにして固定座４１６に嵌め込む。そののち、床下の作業者Ｂは、アンカー４１８で床下地盤４０１へ固定座４１６を打ち込み固定するとともに固定座４１６と下部コラム４１４とをこれら４１４，４１６のいずれかあるいは双方に設けた長孔に止着具４１９を通じることにより相互に連結してゆく。【００３５】次に、図２２に示すように、ねじ孔の明けられた上フランジ４１４ａ上に支持ポスト４２１を載せて下フランジ４２１ａの孔を通じて止め具４２２をねじ込むことによりコラム４１４に対して支持ポスト４２１を連結固定する。これらの支持ポスト４２１に対して図２３のように脚４０８を差し込むことでテーブルを固定設置する。支持ポスト４２１と脚４０８とは抜け出ないように連結具４２３により止め付けておくようにする。【００３６】前記実施形態の他の態様を示す。
図２３右上欄に示すように、下にフランジ４２５ａを備えた金属あるいは樹脂製などのコラム４２５を床下から通穴４１５に通して床上まで突出するようにし、その上端筒内あるいは外周に脚４０８を挿入固定するようにしてもよい。この場合、脚４０８は止着具４２６で同じ高さになるように固定するが、締めバンドを使用してもよい。
テーブル中央と床上との間の補強支持は図２８から３３の実施形態のものを組み合わせてもよい。また、コラム４２５回りは裾キャップ４２７で閉止してもよい。
コラム４１４相互間は、図２３に仮想線で示すようなつなぎ４２７で連結強化してもよい。
前記実施形態では脚が４本のテーブルについて説明したが、１本・２本（厚板状脚も含む）…など本数は問わない。１本の場合、テーブルの中央に構成されて上からの負荷に耐えるものとなる。【００３７】図２４ないし図２７はテーブル固定方法の他の実施形態を示す。この実施形態は、図２７のテーブルの天板４３１の中央部分を床下から１本支持するための作業要領を示すもので、図２４はその最初の手順を示す。
図２４において４３２は床下地盤、４３３は床下構造体（束石〜根太）、４３４は床板であり、まず、床板４３４の好ましい個所に３０〜４０ｃｍ前後の通穴４３５を明け、その穴４３５を通じて下部コラム４３６を床下地盤４３２に下フランジ４３７が乗り掛かるまで降ろす。【００３８】下部コラム４３６は丸パイプで金属でも樹脂あるいはその他の材質でもよく、その下フランジ４３７の中央には図２５にも示すような挿通口４３８が明けられている。挿通口４３８は、比較的太い穴で、例えば、３０〜６０ｃｍ（限定されない）とされる。
同フランジ４３７の底面には、図２５に底面図を示すように、矢印の方向に回転操作されることで外回りに土砂などを押し出しながら地盤４３２を円形凹所に削ってゆくスパイラル４３９が突設されている。このスパイラル４３９は、中心側から外周へと連続する板面で形成されたり、図示のように一部が切り欠き４４０になったものでもよい。【００３９】４４２は冶具で、同冶具４４２は、下部コラム４３６を通穴４３５の中心に設定しながら床板４３４に直角な軸心とする調整具の役目をもっている。同冶具４４２は、金属でも樹脂などでもよく、下部コラム４３６の上から通してコラム４３６が前記の位置・姿勢になるようにして止着具４４３にて床板４３４上に固定されるものである。尚、作業後は止着具４４３を外して床板４４３側と縁を切った状態にしてもよい。【００４０】そして、図２５に仮想線で示すようにコラム上端に旋回用のトルクバー４４４を通して矢印の方向に回転操作すれば、スパイラル４３９が回転して床下土砂を削り取って水平な凹部を形成し、その凹部面に下フランジ４３７が密着した状態になる。
そのあと、図２６に示すようなやや太径で長さ１２０ｃｍ前後の先鋭状ロッド（鉄筋芯棒など）のアンカー４４６を打ち込む。同アンカー４４６は、上端に叩打部４４７を備えるとともに下から５０ないし７０ｃｍの個所に固定ストッパ４４８を突設してなる。このアンカー４４６はオスねじを少なくとも下部外周に備えて回すと地盤内にねじ込まれるものにしてもよい。【００４１】このアンカー４４６を打ち込むと固定ストッパ４４８が挿通口４３８の上のフランジ面に当たり停止する。これで下部コラム４３６が地盤側に固定される。そのあと、図２７に示すように、上部コラム４５０を下部コラム４３６周りに嵌め込む。この上部コラム４５０は、上フランジ４５１を備えるとともに緩衝パッド４５２を備え、下部外周には固定ナット４５３と止着具４５４を備える。【００４２】当初この上部コラム４５０は下部コラム４３６にフリーな状態にあり、テーブルを設置して天板４３１を対応させたのち持ち上げて止めネジ４５５をねじ込むことで天板４３１側に固定され、止着具４５４をナット４５３にねじ込むことで上部・下部コラム４５０，４３６が一体化し、テーブルは床下地盤４３２側に固定されたことになる。【００４３】尚、この固定方式は、テーブル中央を支持するものになっているが、４本あるいは２本の脚方式のものにも適用できる。【００４４】図２８ないし図３０はテーブル固定方式の他の実施形態を示す。同実施形態は、床板上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。
この実施形態は、床板４５８上に、４本の脚４５９と天板４６０および補強枠４６１で構成されたテーブルを固定する器具を示すもので、４６２は下部コラムで、円筒パイプや角パイプなどでなる金属・樹脂製の受支柱である。同コラム４６２の下端には図２９のように複数のねじ孔４６３を備えた下フランジ４６４を備えるとともに、外周位置には注入口４６５が形成され、また、逃がし口４６６も明けてある。【００４５】４６８は上部コラムで、同じく円筒や角筒などでなる金属あるいは樹脂製のもので、その下部は下部コラム４６２内に挿入される径とされている。同上部コラム４６８は上端に上フランジ４６９を備えるとともに下端には通孔４７０を残して掛止突起４７１…が上下数段に亘って設けられている。
上下のコラム４５１，４３６は、テーブル下に図２８のように持ち込まれてのち止めネジ４７２…により下部コラム４６２が床板４５８側に、また上部コラム４６８が天板４６０側にねじ止めされる。そののち、図２９にも拡大して示すように、発泡ウレタンボンベ４７３を用いて注入口４６５を通じて下部コラム４６２内にウレタンＵを注入してゆく。この際、ウレタンＵは、逃がし口４６６や通孔４７０を通じて逃げて固まる。外部で固まったものは取り除かれるが、内部で拡がるウレタンＵは掛止突起４７１…に固着してゆく。これにより、テーブルはウレタンＵの上昇力も加味されて床上で固定される。また、負荷がテーブル面に作用してもウレタンＵが好適な緩衝作用をしながら受け止めるとともにその緩衝作用が床底抜けをも有効に防止し、上部コラム４６８の抜けも掛止突起４７１とウレタンＵの固着により有効に防止される。作業も簡単に終わる。
尚、図２９の矢印Ｔのように上部コラム４６８に空けた孔を通じて付加的にウレタンＵを注入固着してもよい。
上フランジ４６９は図２７の上欄のような段差状断面をしたものにすると強度がアップする。
上フランジ４６９および下フランジ４６４は、３０ないし４０ｃｍ前後の直径のもので図示したが、例えば、天板４６０の幅は９０ｃｍであると、８０ｃｍ前後の大径フランジにすることができ、この場合、上フランジ４６９が天板４６０の側辺部近くにくるため、その側辺部に集中が想定される倒壊時の衝撃力をこの上フランジ４６９が受け止めて天板４６０自体の破壊を効果的に防止するとともに上フランジ４６９が前記側辺部近くにくると止めネジ４７２を止めやすい。また、下フランジ４６４も前記のように大径にすると、床抜けをより効果的に防止できるし、ビス止めもし易くなる。上・下フランジ４６９，４６４は四角形など他の幾何学形状にすることもある。
上記はテーブル中央に備える場合について示したが、他の脚の構造に同実施形態を適用することができる。
また、図２８および図２９に示すように、下フランジ４６４の孔を介して床下地盤までアンカーＤを打ち込んで固定してもよい。このアンカーＤは単一本であったり複数本であることもあり、丸あるいは角形のパイプ状の場合もある。同アンカーＤは斜めに打ち込めば固定度が高くなる。また、同アンカーＤは、その外周に周突起（螺旋突起や長手方向突起・格子状突起などを含む）を付した異形棒鋼を使用すれば固定度が向上する。
また、図３１に示すように、上部コラム４６８の下端から突パイプ４７４を出してその外周に掛止突起４７５を設けてウレタンＵの固着連結力を高めるようにしてもよい。
さらに、前記コラム４６８，４６２とフランジ４６９，４６４との間には適宜に外部補強を付加することができる。
また、注入口４６５は上下あるいは周囲に複数個所開けてこれらを利用してウレタンＵを注入あるいはドレン可能にしてもよい。ドレンする課以降からはウレタンＵが流れ出るので、筒を突設したり下方に漏れ受けを敷いたりしてもよい。漏れ出たウレタンＵは切り取ったり溶解液で拭き取ったりして処置する。【００４６】図３２および図３３は他の実施形態を示す。同実施形態は、床板上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。
この実施形態は、図３３のようにＴ字あるいはＬ字形をした上下の支持板４７７，４７８よりなり、これらは相互に上下伸縮することが可能であり、実施形態では長孔４７９および蝶ボルトでなる止着具４８０により延ばした状態で上下を連結することができる。実際には、下部支持板４７８を先に床上にビス止めしてのち上部支持板４７７を止着具４８０により上に伸ばして天板４８１にビス止めするようにする。テーブルは４本脚式以外のものであっても本方式を適用できる。支持板４７７，４７８などは金属板以外に樹脂や木材などでもよい。
尚、図３３に示すように、テーブル型式には４本の脚柱４８３…によらず長手方向に対向する縦板間に継ぎ板４８２を横架固定したものがあるが、その場合でもその横サイドを上部支持板４７７が通るようにしてこの器具を設置することができる。
また、図３３に示すように、下フランジの孔を介して床下地盤までアンカーＤを打ち込んで固定してもよい。このアンカーＤは単一本であったり複数本であることもある。同アンカーＤは斜めに打ち込めば固定度が高くなる。【００４７】図３４ないし図３６は他の実施形態を示す。同実施形態は、床板５００上に設置される避難シェルター兼用のテーブルで、このテーブルは、地震時にずれたり飛んだりする移動がないことから緊急地震速報などに応じて避難する場所を確保でき、しかも、家屋の倒壊があってもその際の倒壊物からの衝撃にも強く耐えてその下に避難する人をより確実に防護し得るように造られたものである。【００４８】５０１は天板、５０２は裏木、５０３は底木であり、これらは金属製あるいは樹脂製若しくは木製などで作られるが、ここでは木製の場合を例示してある。天板５０１は既設のものを流用してもよいし新規なものでもよい。裏木５０２は長い座板５０４と短い連結ブロック５０５よりなり止着具５０６…によりこれらを扁平Ｔ型となるように一体化してなる。底木５０３も同様に形成されている。【００４９】裏木５０２はその一対を天板５０１の長手方向端部に裏から止め付けてある。その下方にあるように底木５０３を配置しその連結ブロック５０５が上に向くようにしてある。５０８は側板で、１ｃｍ前後の合板でなり、天板５０１の長手方向と同じ長さの一辺とし他辺は一般のテーブル下寸法とした矩形の板でなる。その上下４つの隅には切り欠き５０９が形成されている。側板５０８は一対用意されて長手方向であるテーブル中央ラインを基準に天板５０１の幅方向に２０ないし４０ｃｍ前後の間隔をおいて相対向して配置されるとともに止着具５１０…により連結ブロック５０５に止め付けられている。【００５０】２枚の側板５０８間の長手方向中間空間にはＥＰＳ製の耐震体５１１が挟み込まれて止着具５１２により締め付け固定されるとともに、長手方向両端部には、スライド受け材５１３を介して上下複数段の引き出し式収納部５１４…が配備されている。５１５は非常用の飲料水入りＰＥＴボトルであり、適宜非常食などの非常時用品類やいつも使える食事用品やヒモ・テープ・筆記具など何でも入れて用に供することができるものにしてある。何を入れるかは自由である。収納部５１４は地震による揺れで飛び出さない手段が付加されることもある。
底木５０３はビス５１５あるいは粘着手段などにより床板５００に止め付けられるようになっている。【００５１】尚、耐震体５１１は図示よりも幅の小さいものにしたり省略することもある。この場合、図３５の正面あるいは裹面から引き出し式に出し入れ可能な収納部５１５を追加的に設けることがある（図面では１個所のみ示してあるが上下複数段でもよい）。
前記収納部５１４…の数は一対であるが、いずれか一方でもよい。
また、図３５に示すように、下フランジの孔を介して床下地盤までアンカーＤを打ち込んで固定してもよい。このアンカーＤは単一本であったり複数本であることもある。同アンカーＤは斜めに打ち込めば固定度が高くなる。
さらに、図３６右欄に示すように裏木５０２、底木５０３は基板ＡにブラケットＢを突設した鉄製あるいは樹脂一体成形品とすることができる。【００５２】図３７は他の実施形態を示す。同実施形態は、地震発生に伴いマンションなどの高層建築物５４０におけるエレベーターが故障・停止した際に地上から緊急用品５４１…を上階層まで臨時に届け得るようにした緊急搬送装置に関する。【００５３】同装置は、簡易式でロック可能なウインチ５４２を備えた基台５４３をアンカー５４４により地盤に固定できるようにしておき、同ウインチ５４２からは、同図左欄のように２本など複数本のロープ・ワイヤなどの張り線ガイド５４５が巻き取り・繰り出し可能とされ、同ガイド５４５の先端は、高層階の廊下仕切りに固定される巻上げウインチ５４６付上部フレーム５４７に連結されるようになっている。
同フレーム５４７は、非常時に備えてマンション内の屋上などに設置しておけば容易に適宜階に搬送することができるし、備えていない場合でも階段を介して高層階に持ち込み得る。【００５４】このフレーム５４７には、巻き上げウインチ５４６により廊下側から回転連動可能な巻上げドラム５４８が装備され、同ドラム５４８には、ロープあるいはワイヤなどの巻き上げ線条５４９が巻き取られている。【００５５】この線条５４９の下端は張り線ガイド５４５に沿って下向きに伸びており、その先端は、ガイド５４５に沿って昇降されるアルミあるいは樹脂製などの軽量枠型昇降体５５０に連結されている。昇降体５５０には遊転しながらガイド５４５に添うローラー５５１…が複数設けられており、同昇降体５５０の一側には緊急用品５４１を載せるための用品入れ５５２が取り付けられている。
基台５４３はマンション５４０から少し離れた位置に持ち込まれてアンカー５４４で固定される一方、上部フレーム５４７は高層階に持ち込まれて固定される。その状態からウインチ５４２により張り線ガイド５４５が張られるとともに用品入れ５５２付昇降体５５０が同ガイド５４５に装備される。巻き上げウインチ５４６を操作してドラム５４８を回して昇降体５５０を下まで降ろすことで緊急用品５４１を用品入れ５５２に次々に載せることができる。そのあと、巻き上げウインチ５４６を回すことでドラム５４８が回転し線条５４９が引き上げられ、用品入れ５５２が引き上げられる。【００５６】図の上部は引き上げられた様子を示し、この状態から内部の用品５４１を取り出して用に供する。ウインチ５４６を緩める方向に回転することで用品入れ５５２は次の作業のために降ろされる。張り線ガイド５４５は垂直に張ってもよい。
尚、図３７の右欄に示すように、昇降体５５３をアルミ合金型枠製などで平面枠状（前記実施形態では立体枠状）に軽量簡素化してその一側に備えた簡易軽量型ローラー５５４を張り線ガイド５５６に掛けて転動案内させるようにし、昇降体５５３のマンション側に樹脂・布製など折り畳み可能な軽量型用品入れ５５７を装備して軽量簡略化を図るようにしてもよい。【００５７】図３８（平面図）、図３９（正面図）および図４０（側面図）は他の実施形態を示す。同実施形態は、床上設置型の新設式避難テーブルに関する。このテーブルは、図示した一式が組み合わさって新規テーブルとして構成されているが、テーブルの天板のみを既設のものを利用してもよい。この場合、天板の裏補強枠はそのままでも取り外してもよい。【００５８】一般のテーブルは、その裏面に補強枠を備えるものや備えていないものが一般的であるがテーブルとしての機能は持ち合わせるが耐震強度を十分配慮していないものが殆どで特に対衝撃強度には問題がある。また、テーブルの中央と床との間に突っ支い棒のようなものを介在させ止め付けるものも販売されているが、その支持ポイントはテーブル中央に過ぎず、例えば、テーブルのスパンの長い側辺中間点Ｘは倒壊時の衝撃負荷に対して最も弱く、したがって脚柱など他の部分を強度アップしても肝心なＸ個所が弱いため損壊しやすく、避難していると却って危険である。【００５９】そうしたことから図３８ないし図４０に示すように耐震機能を配慮した避難用のテーブルを提案する。
同テーブルは、四辺形の天板５６０を備え、この天板５６０は木製であるが樹脂や金属などで製作してもよい。１枚ものであるが図３９の右欄に示すように複数枚をサンドイッチ式にしたものでもよい。サンドイッチの複数枚間に緩衝材ａを挟むと衝撃に有効である。この緩衝材ａは、波板状にしたり、天板５６０の長辺に沿った一部のみに帯状に設けたものでもよい。【００６０】５６１は受けフレームで、前後一対のものでなり、アルミ合金枠や鋼鉄・ステンレスなどの四角なパイプを２段階に曲げ成形したものでなる。
５６２は底受部、５６３は脚部、５６４は脚下部であり、底受部５６２の両端を直角に折り曲げて脚部５６３とし、同脚部５６３の下端を天板幅内方向に直角に短く折り曲げて脚下部５６４としたものである。【００６１】５６５は底板で、脚下部５６４の底面に水平をなして溶接固着されその底面に粘着パッドや両面テープなどの貼り付け材５６６を介して床板５６７上に固定されるようになっている。５６８は取付板で、底受部５６２の内側面に溶接固定されて止着具５６９…により天板５６０側に受けフレーム５６１を固定してある。５７０は継ぎ材で、脚下部５６４に差し込まれてこれら相互をつなぐようにしている。５７１は止め具である。５７２はアンカーで、脚下部５６４の孔から床板の通孔を通じて床下地盤まで打ち込まれてテーブルを地盤に固定するものであるが、構成しないこともある。【００６２】尚、脚部５６３には脚下部５６４を曲げて形成してあるが、脚下部５６４を脚部５６３とは別体ものとし溶接あるいは止着により一体化してもよい。
脚下部５６４は構成せず、脚部５６３の下端に直接底板５６５を固定することもある。
底板５６５は床板に止め付け得るようにしてもよい。【００６３】尚、上記各発明は、当該実施形態以外に、当該実施形態に基づくとき当業者であれば容易に考え付く所謂自明な程度に変更・変形可能な態様の全てを含むものである。
【図面の簡単な説明】
【００６４】
【図１】本発明の一実施形態を示す平面図。
【図２】図１のＩＩ−ＩＩ線断面図。
【図３】他の実施形態を示す断面図。
【図４】他の実施形態を示す断面図。
【図５】他の実施形態を示す斜視図。
【図６】他の実施形態を示す斜視図。
【図７】他の実施形態を示す斜視図。
【図８】他の実施形態を示す断面図。
【図９】他の実施形態を示す斜視断面図。
【図１０】地震対策避難用テーブルの例を示す平面図。
【図１１】図１０の正面図。
【図１２】補強セットの分解斜視図。
【図１３】他の実施形態を示す平面図。
【図１４】図１３の正面図。
【図１５】他の実施形態を示す平面図。
【図１６】図１５の正面図。
【図１７】他の実施形態を示す斜視図。
【図１８】椅子の他の実施形態を示す側断面図。
【図１９】テーブル固定方法の他の実施形態を示す断面図。
【図２０】テーブル固定方法の作業手順を示す断面図。
【図２１】テーブル固定方法の作業手順を示す断面図。
【図２２】テーブル固定方法の作業手順を示す断面図。
【図２３】テーブル固定方法の作業手順を示す断面図。
【図２４】テーブル固定方法の他の実施形態を示す断面図。
【図２５】テーブル固定方法の作業手順を示す断面図。
【図２６】テーブル固定方法の作業手順を示す断面図。
【図２７】テーブル固定方法の作業手順を示す断面図。
【図２８】テーブル固定方法の他の実施形態を示す断面図。
【図２９】テーブル固定方法の作業手順を示す断面図。
【図３０】図２９のＨ−Ｈ線断面図。
【図３１】テーブル固定方法の他の実施形態を示す断面図。
【図３２】他の実施形態を示す断面図。
【図３３】図３２のＹ矢視図。
【図３４】他の実施形態を示す平面図。
【図３５】その正面図。
【図３６】図３５の右側面図。
【図３７】他の実施形態を示す側面図。
【図３８】他の実施形態を示す平面図。
【図３９】図３８の正面図。
【図４０】図３９の右側面図。
【符号の説明】
【００６５】８…堀込み空間  １２…基礎ブロック  １４…支柱  １９…テーブル  ２０…凹所  ２１…座板  ２４…階段。
【手続補正２】
【補正対象書類名】図面
【補正対象項目名】図１０
【補正方法】変更
【補正の内容】
【図１０】
2009082685.tif 000070
【手続補正３】
【補正対象書類名】図面
【補正対象項目名】図１１
【補正方法】変更
【補正の内容】
【図１１】
2009082685.tif 000071
【手続補正４】
【補正対象書類名】図面
【補正対象項目名】図１２
【補正方法】変更
【補正の内容】
【図１２】
2009082685.tif 000072
【手続補正５】
【補正対象書類名】図面
【補正対象項目名】図１３
【補正方法】変更
【補正の内容】
【図１３】
2009082685.tif 000073
【手続補正６】
【補正対象書類名】図面
【補正対象項目名】図１４
【補正方法】変更
【補正の内容】
【図１４】
2009082685.tif 000074
【手続補正７】
【補正対象書類名】図面
【補正対象項目名】図１５
【補正方法】変更
【補正の内容】
【図１５】
2009082685.tif 000075
【手続補正８】
【補正対象書類名】図面
【補正対象項目名】図１６
【補正方法】変更
【補正の内容】
【図１６】
2009082685.tif 000076
【手続補正９】
【補正対象書類名】図面
【補正対象項目名】図１７
【補正方法】変更
【補正の内容】
【図１７】
2009082685.tif 000077
【手続補正１０】
【補正対象書類名】図面
【補正対象項目名】図１８
【補正方法】変更
【補正の内容】
【図１８】
2009082685.tif 000078
【手続補正１１】
【補正対象書類名】図面
【補正対象項目名】図１９
【補正方法】変更
【補正の内容】
【図１９】
2009082685.tif 000079
【手続補正１２】
【補正対象書類名】図面
【補正対象項目名】図２０
【補正方法】変更
【補正の内容】
【図２０】
2009082685.tif 000080
【手続補正１３】
【補正対象書類名】図面
【補正対象項目名】図２１
【補正方法】変更
【補正の内容】
【図２１】
2009082685.tif 000081
【手続補正１４】
【補正対象書類名】図面
【補正対象項目名】図２２
【補正方法】変更
【補正の内容】
【図２２】
2009082685.tif 000082
【手続補正１５】
【補正対象書類名】図面
【補正対象項目名】図２３
【補正方法】変更
【補正の内容】
【図２３】
2009082685.tif 000083
【手続補正１６】
【補正対象書類名】図面
【補正対象項目名】図２４
【補正方法】変更
【補正の内容】
【図２４】
2009082685.tif 000084
【手続補正１７】
【補正対象書類名】図面
【補正対象項目名】図２５
【補正方法】変更
【補正の内容】
【図２５】
2009082685.tif 000085
【手続補正１８】
【補正対象書類名】図面
【補正対象項目名】図２６
【補正方法】変更
【補正の内容】
【図２６】
2009082685.tif 000086
【手続補正１９】
【補正対象書類名】図面
【補正対象項目名】図２７
【補正方法】変更
【補正の内容】
【図２７】
2009082685.tif 000087
【手続補正２０】
【補正対象書類名】図面
【補正対象項目名】図２８
【補正方法】変更
【補正の内容】
【図２８】
2009082685.tif 000088
【手続補正２１】
【補正対象書類名】図面
【補正対象項目名】図２９
【補正方法】変更
【補正の内容】
【図２９】
2009082685.tif 000089
【手続補正２２】
【補正対象書類名】図面
【補正対象項目名】図３０
【補正方法】変更
【補正の内容】
【図３０】
2009082685.tif 000090
【手続補正２３】
【補正対象書類名】図面
【補正対象項目名】図３１
【補正方法】変更
【補正の内容】
【図３１】
2009082685.tif 000091
【手続補正２４】
【補正対象書類名】図面
【補正対象項目名】図３２
【補正方法】変更
【補正の内容】
【図３２】
2009082685.tif 000092
【手続補正２５】
【補正対象書類名】図面
【補正対象項目名】図３３
【補正方法】変更
【補正の内容】
【図３３】
2009082685.tif 000093
【手続補正２６】
【補正対象書類名】図面
【補正対象項目名】図３４
【補正方法】変更
【補正の内容】
【図３４】
2009082685.tif 000094
【手続補正２７】
【補正対象書類名】図面
【補正対象項目名】図３５
【補正方法】変更
【補正の内容】
【図３５】
2009082685.tif 000095
【手続補正２８】
【補正対象書類名】図面
【補正対象項目名】図３６
【補正方法】変更
【補正の内容】
【図３６】
2009082685.tif 000096
【手続補正２９】
【補正対象書類名】図面
【補正対象項目名】図３７
【補正方法】変更
【補正の内容】
【図３７】
2009082685.tif 000097
【手続補正３０】
【補正対象書類名】図面
【補正対象項目名】図３８
【補正方法】変更
【補正の内容】
【図３８】
2009082685.tif 000098
【手続補正３１】
【補正対象書類名】図面
【補正対象項目名】図３９
【補正方法】変更
【補正の内容】
【図３９】
2009082685.tif 000099
【手続補正３２】
【補正対象書類名】図面
【補正対象項目名】図４０
【補正方法】変更
【補正の内容】
【図４０】
2009082685.tif 000100
【手続補正３３】
【補正対象書類名】図面
【補正対象項目名】図４１
【補正方法】削除
【補正の内容】
【手続補正３４】
【補正対象書類名】図面
【補正対象項目名】図４２
【補正方法】削除
【補正の内容】
【手続補正３５】
【補正対象書類名】図面
【補正対象項目名】図４３
【補正方法】削除
【補正の内容】
【手続補正３６】
【補正対象書類名】図面
【補正対象項目名】図４４
【補正方法】削除
【補正の内容】
【手続補正３７】
【補正対象書類名】図面
【補正対象項目名】図４５
【補正方法】削除
【補正の内容】
【手続補正３８】
【補正対象書類名】図面
【補正対象項目名】図４６
【補正方法】削除
【補正の内容】
【手続補正３９】
【補正対象書類名】図面
【補正対象項目名】図４７
【補正方法】削除
【補正の内容】
【手続補正４０】
【補正対象書類名】図面
【補正対象項目名】図４８
【補正方法】削除
【補正の内容】
【手続補正４１】
【補正対象書類名】図面
【補正対象項目名】図４９
【補正方法】削除
【補正の内容】
【手続補正４２】
【補正対象書類名】図面
【補正対象項目名】図５０
【補正方法】削除
【補正の内容】
【手続補正４３】
【補正対象書類名】図面
【補正対象項目名】図５１
【補正方法】削除
【補正の内容】
【手続補正４４】
【補正対象書類名】図面
【補正対象項目名】図５２
【補正方法】削除
【補正の内容】
【手続補正４５】
【補正対象書類名】図面
【補正対象項目名】図５３
【補正方法】削除
【補正の内容】
【手続補正４６】
【補正対象書類名】図面
【補正対象項目名】図５４
【補正方法】削除
【補正の内容】
【手続補正４７】
【補正対象書類名】図面
【補正対象項目名】図５５
【補正方法】削除
【補正の内容】
【手続補正４８】
【補正対象書類名】図面
【補正対象項目名】図５６
【補正方法】削除
【補正の内容】
【手続補正４９】
【補正対象書類名】図面
【補正対象項目名】図５７
【補正方法】削除
【補正の内容】
【手続補正５０】
【補正対象書類名】図面
【補正対象項目名】図５８
【補正方法】削除
【補正の内容】
【手続補正５１】
【補正対象書類名】図面
【補正対象項目名】図５９
【補正方法】削除
【補正の内容】
【手続補正５２】
【補正対象書類名】図面
【補正対象項目名】図６０
【補正方法】削除
【補正の内容】
【手続補正５３】
【補正対象書類名】図面
【補正対象項目名】図６１
【補正方法】削除
【補正の内容】
【手続補正５４】
【補正対象書類名】図面
【補正対象項目名】図６２
【補正方法】削除
【補正の内容】
【手続補正５５】
【補正対象書類名】図面
【補正対象項目名】図６３
【補正方法】削除
【補正の内容】
【手続補正５６】
【補正対象書類名】図面
【補正対象項目名】図６４
【補正方法】削除
【補正の内容】
【手続補正５７】
【補正対象書類名】図面
【補正対象項目名】図６５
【補正方法】削除
【補正の内容】
【手続補正５８】
【補正対象書類名】図面
【補正対象項目名】図６６
【補正方法】削除
【補正の内容】
【手続補正５９】
【補正対象書類名】図面
【補正対象項目名】図６７
【補正方法】削除
【補正の内容】